(57)【要約】【課題】簡易な構成で平滑コンデンサに印加される電圧のバランスを保つことができる電圧平滑回路を提供する。【解決手段】電圧平滑回路１４に係る第１及び第２平滑コンデンサＣ１，Ｃ２は、互いに直列に接続され、かつ電源部１３に対して並列に接続されている。第１及び第２バランス抵抗Ｒ３，Ｒ４は、第１及び第２平滑コンデンサＣ１，Ｃ２それぞれに並列に接続されている。第２ツェナーダイオードＲＺ４は、第１バランス抵抗Ｒ３に直列に接続され、第１ツェナー電圧Ｖｒ３以上の電圧が印加されると第１バランス抵抗Ｒ３に一方向に電流を流す。第２ツェナーダイオードＲＺ４は、第２バランス抵抗Ｒ４に直列に接続され、第２ツェナー電圧Ｖｒ４以上の電圧が印加されると第２バランス抵抗Ｒ４に一方向に電流を流す。【選択図】図２
2011041367.tif 000002
【特許請求の範囲】
【請求項１】
電源部（１３）から出力された電圧を平滑する電圧平滑回路であって、
互いに直列に接続されていると共に、前記電源部に対して並列に接続された第１平滑コンデンサ（Ｃ１，Ｃ１１）及び第２平滑コンデンサ（Ｃ２，Ｃ１２）と、
前記第１平滑コンデンサ（Ｃ１，Ｃ１１）に並列に接続された第１バランス抵抗（Ｒ３，Ｒ１３）と、
前記第２平滑コンデンサ（Ｃ２，Ｃ１２）に並列に接続された第２バランス抵抗（Ｒ４，Ｒ１４）と、
前記第１バランス抵抗（Ｒ３，Ｒ１３）に直列に接続されており、第１所定電圧以上の電圧が印加された場合、前記第１バランス抵抗（Ｒ３，Ｒ１３）に一方向に電流を流す第１通電規制部（ＲＺ３，ＲＺ１３）と、
前記第２バランス抵抗（Ｒ４，Ｒ１４）に直列に接続されており、第２所定電圧以上の電圧が印加された場合、前記第２バランス抵抗（Ｒ４，Ｒ１４）に一方向に電流を流す第２通電規制部（ＲＺ４，ＲＺ１４）と、
を備える、電圧平滑回路（１４，１１４）。
【請求項２】
前記第１通電規制部（ＲＺ３，ＲＺ１３）の両端に並列に接続された第１補助抵抗（Ｒ３１，Ｒ１３１）と、
前記第２通電規制部（ＲＺ４，ＲＺ１４）の両端に並列に接続された第２補助抵抗（Ｒ３２，Ｒ１３２）と、
を更に備える、
請求項１に記載の電圧平滑回路（１４’，１１４’）。
【請求項３】
前記第１通電規制部（ＲＺ３）に前記第１所定電圧以上の電圧が印加された場合、前記第２通電規制部（ＲＺ４）には前記第２所定電圧以上の電圧が印加されず、
前記第２通電規制部（ＲＺ４）に前記第２所定電圧以上の電圧が印加された場合、前記第１通電規制部（ＲＺ３）には前記第１所定電圧以上の電圧が印加されない、
請求項１または２に記載の電圧平滑回路（１４）。
【請求項４】
前記第１通電規制部（ＲＺ３）は第１ツェナーダイオードで構成され、
前記第２通電規制部（ＲＺ４）は第２ツェナーダイオードで構成され、
前記第１所定電圧及び第２所定電圧は、前記電源部（１３）が出力する電圧の値に基づいて、前記第１ツェナーダイオード及び前記第２ツェナーダイオードのいずれか一方にのみ電流が流れるように決定されている、
請求項３に記載の電圧平滑回路（１４）。
【請求項５】
前記第１所定電圧及び前記第２所定電圧は、前記第１平滑コンデンサ（Ｃ１）及び前記第２平滑コンデンサ（Ｃ２）の定格電圧以下である、
請求項４に記載の電圧平滑回路（１４）。
【請求項６】
前記第１通電規制部（ＲＺ１３）に前記第１所定電圧以上の電圧が印加されると共に、前記第２通電規制部（ＲＺ１４）にも前記第２所定電圧以上の電圧が印加される、
請求項１または２に記載の電圧平滑回路（１１４）。
【請求項７】
前記第１通電規制部（ＲＺ１３）に前記第１所定電圧以上の電圧が印加された後に前記第２通電規制部（ＲＺ１４）にも前記第２所定電圧以上の電圧が印加される第１状態、及び
前記第２通電規制部（ＲＺ１４）に前記第２所定電圧以上の電圧が印加された後に前記第１通電規制部（ＲＺ１４）にも前記第１所定電圧以上の電圧が印加される第２状態、
のいずれかを採り得る、
請求項６に記載の電圧平滑回路（１１４）。
【請求項８】
前記第１通電規制部（ＲＺ１３）は第１ツェナーダイオードで構成され、
前記第２通電規制部（ＲＺ１４）は第２ツェナーダイオードで構成される、
請求項６または７に記載の電圧平滑回路（１１４）。
【請求項９】
前記第１所定電圧及び前記第２所定電圧は、前記第１平滑コンデンサ（Ｃ１１）及び前記第２平滑コンデンサ（Ｃ１２）の定格電圧以下である、
請求項８に記載の電圧平滑回路（１１４）。
【請求項１０】
前記第１バランス抵抗（Ｒ３，Ｒ１３）は、前記第１平滑コンデンサ（Ｃ１，Ｃ１１）の内部抵抗の値よりも小さい抵抗値を有し、
前記第２バランス抵抗（Ｒ４，Ｒ１４）は、前記第２平滑コンデンサ（Ｃ２，Ｃ１２）の内部抵抗の値よりも小さい抵抗値を有する、
請求項１〜９のいずれかに記載の電圧平滑回路（１４，１１４）。
【発明の詳細な説明】
【技術分野】
【０００１】
本発明は、電圧平滑回路に関する。
【背景技術】
【０００２】
モータを駆動するためのモータ駆動装置は、モータの駆動電圧をインバータ部で生成し、モータに出力している。一般的に、このインバータ部には、電源から出力される交流電圧が平滑された後に供給されている。
【０００３】
電源からの電圧を平滑する手法としては、例えば特許文献１（特開２００３−８８１４４号公報）に開示されているように、電源に対し並列に接続された平滑コンデンサを利用する手法が良く用いられている。具体的に、特許文献１に係る手法では、２つの平滑コンデンサが互いに直列に接続されると共に、電源に対し並列に接続されている。更に、平滑コンデンサの内部抵抗よりも抵抗値の小さいバランス抵抗が、各平滑コンデンサに並列に接続されている。バランス抵抗は、各平滑コンデンサに印加される電圧がコンデンサの定格電圧内となるように、各平滑コンデンサに印加される電圧のバランスを保つための抵抗である。
【０００４】
また、上記特許文献１以外で各平滑コンデンサの電圧のバランスを保つための手法としては、特許文献２（特開平１−１６９５１６号公報）に開示されているものがある。
【発明の概要】
【発明が解決しようとする課題】
【０００５】
特許文献１に係る手法では、バランス抵抗には比較的大きな電流が常時流れることとなるため、当該電流に耐えられる仕様の抵抗をバランス抵抗として用いる必要が生じる。しかしながら、このような抵抗は、例えばセメント抵抗のように寸法が比較的大きいものが主流となっているため、バランス抵抗等が実装されるプリント基板の大きさは必然的に大きくなってしまう。また、特許文献１に係る手法では、バランス抵抗に常時大きな電流が流れるためにバランス抵抗の発熱量も大きく、バランス抵抗付近の電子部品に悪影響を及ぼす恐れがある。
【０００６】
また、特許文献２では、オペアンプ等を用いてバランス抵抗に流れる電流量を増減させることで、特許文献１に比してバランス抵抗に流れる電流量を軽減されている。しかしながら、この手法では、平滑コンデンサの電圧のバランスを保つための回路を構成する素子数が多く、当該回路も複雑である。
【０００７】
そこで、本発明は、簡易な構成で平滑コンデンサに印加される電圧のバランスを保つことができる電圧平滑回路の提供を目的とする。
【課題を解決するための手段】
【０００８】
発明１に係る電圧平滑回路は、電源部から出力された電圧を平滑する回路である。電圧平滑回路は、第１平滑コンデンサ、第２平滑コンデンサ、第１バランス抵抗、第２バランス抵抗、第１通電規制部及び第２通電規制部を備える。第１平滑コンデンサ及び第２平滑コンデンサは、互いに直列に接続されていると共に、電源部に対して並列に接続されている。第１バランス抵抗は、第１平滑コンデンサに並列に接続されている。第２バランス抵抗は、第２平滑コンデンサに並列に接続されている。第１通電規制部は、第１バランス抵抗に直列に接続されており、第１所定電圧以上の電圧が印加された場合、第１バランス抵抗に一方向に電流を流す。第２通電規制部は、第２バランス抵抗に直列に接続されており、第２所定電圧以上の電圧が印加された場合、第２バランス抵抗に一方向に電流を流す。
【０００９】
この電圧平滑回路では、第１通電規制部に第１所定電圧以上の電圧が印加された場合には、第１バランス抵抗に電流が流れ、この電流は、例えば第２バランス抵抗に流れることなく第２平滑コンデンサに流れる。第２通電規制部に第２所定電圧以上の電圧が印加された場合には、第２バランス抵抗に電流が流れることによって、例えば第１平滑コンデンサにも電流が流れる。第１平滑コンデンサに電流が流れた場合には、第１平滑コンデンサの両端の電圧が上がり、第２平滑コンデンサに電流が流れた場合には、第２平滑コンデンサの両端の電圧が上がるため、簡易な構成で、各平滑コンデンサに印加される電圧のバランスを保つことができる。
【００１０】
発明２に係る電圧平滑回路は、発明１に係る電圧平滑回路であって、第１補助抵抗と、第２補助抵抗とを更に備える。第１補助抵抗は、第１通電規制部の両端に並列に接続されている。第２補助抵抗は、第２通電規制部の両端に並列に接続されている。
【００１１】
第１バランス抵抗を含む電流経路上を流れる電流は、第１通電規制部及び第１補助抵抗に分岐して流れ、第２バランス抵抗を含む電流経路上を流れる電流は、第２通電規制部及び第２補助抵抗に分岐して流れる。これにより、第１及び第２通電規制部それぞれに流れる電流量は小さくなるため、第１及び第２通電規制部の作動電圧や定格電力を低く設定でき、第１及び第２通電規制部としては、定格電流の比較的小さいものを用いることができる。従って、電圧平滑回路に係るコストの低減化（特に、第１及び第２通電規制部のコスト削減）を図ることができる。
【００１２】
発明３に係る電圧平滑回路は、発明１または２に係る電圧平滑回路であって、第１通電規制部に第１所定電圧以上の電圧が印加された場合、第２通電規制部には第２所定電圧以上の電圧が印加されない。第２通電規制部に第２所定電圧以上の電圧が印加された場合、第１通電規制部には第１所定電圧以上の電圧が印加されない。
【００１３】
この電圧平滑回路では、第１通電規制部に第１所定電圧以上の電圧が印加された場合には、第１バランス抵抗を流れた電流は、第２バランス抵抗に流れることなく第２平滑コンデンサに流れる。第２通電規制部に第２所定電圧以上の電圧が印加された場合には、第２バランス抵抗に電流が流れることによって第１平滑コンデンサにも電流が流れるが、第１バランス抵抗には電流が流れない。つまり、上記電圧平滑回路では、第１通電規制部及び第２通電規制部のいずれか一方にのみ第１所定電圧以上または第２所定電圧以上の電圧が印加されるため、第１及び第２バランス抵抗の両方に常時電流が流れることがない。そのため、第１及び第２バランス抵抗としては、寸法の比較的小さいものを利用することができると共に、第１及び第２バランス抵抗における発熱量を軽減することができる。従って、第１及び第２バランス抵抗が実装されているプリント基板を小さくすることができる。
【００１４】
発明４に係る電圧平滑回路は、発明３に係る電圧平滑回路であって、第１通電規制部は、第１ツェナーダイオードで構成される。第２通電規制部は、第２ツェナーダイオードで構成される。第１所定電圧及び第２所定電圧は、電源部が出力する電圧の値に基づいて、第１ツェナーダイオード及び第２ツェナーダイオードのいずれか一方にのみ電流が流れるように決定されている。
【００１５】
例えば、電源部が出力する電圧の値が“７１８Ｖ”であるとした場合、各ツェナーダイオードのツェナー電圧である第１所定電圧及び第２所定電圧は、共に“３６０Ｖ”と決定される。これにより、第１ツェナーダイオード及び第２ツェナーダイオードのいずれか一方にのみ電流が流れるようになるため、簡易な構成で第１及び第２バランス抵抗における発熱量を軽減することができる。
【００１６】
発明５に係る電圧平滑回路は、発明３に係る電圧平滑回路であって、第１所定電圧及び第２所定電圧は、第１平滑コンデンサ及び第２平滑コンデンサの定格電圧以下である。
【００１７】
これにより、第１及び第２平滑コンデンサには、ツェナー電圧である第１所定電圧及び第２所定電圧の値よりも大きい電圧が印加される。
【００１８】
発明６に係る電圧平滑回路は、発明１または２に係る電圧平滑回路であって、第１通電規制部に第１所定電圧以上の電圧が印加されると共に、第２通電規制部にも第２所定電圧以上の電圧が印加される。
【００１９】
この電圧平滑回路によると、第１通電規制部に第１所定電圧以上の電圧が印加されると共に、第２通電規制部にも第２所定電圧以上の電圧が印加されるため、第１通電規制部及び第２通電規制部の双方に電流が流れるようになる。
【００２０】
発明７に係る電圧平滑回路は、発明６に係る電圧平滑回路であって、第１状態及び第２状態のいずれかを採り得る。第１状態は、第１通電規制部に第１所定電圧以上の電圧が印加された後に、第２通電規制部にも第２所定電圧以上の電圧が印加される状態である。第２状態は、第２通電規制部に第２所定電圧以上の電圧が印加された後に、第１通電規制部にも第１所定電圧以上の電圧が印加される状態である。
【００２１】
この電圧平滑回路によると、いずれか一方の通電規制部に所定電圧以上の電圧が印加され当該通電規制部が動作を開始することで、他方の通電規制部にも所定電圧以上の電圧が印加されて当該通電規制部も動作を開始するようになり、各平滑コンデンサに印加される電圧のバランスが保たれるようになる。
【００２２】
発明８に係る電圧平滑回路は、発明６または７に係る電圧平滑回路であって、第１通電規制部は、第１ツェナーダイオードで構成される。第２通電規制部は、第２ツェナーダイオードで構成される。
【００２３】
この電圧平滑回路によると、第１ツェナーダイオードには、ツェナー電圧である第１所定電圧以上の電圧が印加されることで電流が流れる。第２ツェナーダイオードには、ツェナー電圧である第２所定電圧以上の電圧が印加されることで電流が流れる。第１ツェナーダイオード及び第２ツェナーダイオードにおける各電圧は、それぞれ第１所定電圧及び第２所定電圧にクランプされる。そのため、第１バランス抵抗には、第１平滑コンデンサの両端電圧と第１所定電圧との差分電圧が印加され、第２バランス抵抗には、第２平滑コンデンサの両端電圧と第２所定電圧との差分電圧が印加される。従って、簡易な構成で第１及び第２バランス抵抗に流れる電流の値を従来よりも小さくすることができ、よって第１及び第２バランス抵抗における発熱量を軽減することができる。
【００２４】
発明９に係る電圧平滑回路は、発明８に係る電圧平滑回路であって、第１所定電圧及び第２所定電圧は、第１平滑コンデンサ及び第２平滑コンデンサの定格電圧以下である。
【００２５】
これにより、第１及び第２平滑コンデンサには、ツェナー電圧である第１所定電圧及び第２所定電圧の値よりも大きい電圧が印加される。
【００２６】
発明１０に係る電圧平滑回路は、発明１〜９のいずれかに係る電圧平滑回路であって、第１バランス抵抗は、第１平滑コンデンサの内部抵抗の値よりも小さい抵抗値を有する。第２バランス抵抗は、第２平滑コンデンサの内部抵抗の値よりも小さい抵抗値を有する。
【００２７】
これにより、第１平滑コンデンサ及び第２平滑コンデンサの各内部抵抗に流れる電流量よりも、第１バランス抵抗及び第２バランス抵抗に流れる電流量の方が多くなるため、第１平滑コンデンサ及び第２平滑コンデンサに流れる電流量を抑えることができる。従って、第１平滑コンデンサ及び第２平滑コンデンサに印加される電圧を低くすることができる。
【発明の効果】
【００２８】
発明１に係る電圧平滑回路によると、簡易な構成で、各平滑コンデンサに印加される電圧のバランスを保つことができる。
【００２９】
発明２に係る電圧平滑回路によると、第１及び第２通電規制部の作動電圧や定格電力を低く設定でき、第１及び第２通電規制部としては、定格電流の比較的小さいものを用いることができる。従って、電圧平滑回路に係るコストの低減化（特に、第１及び第２通電規制部のコスト削減）を図ることができる。
【００３０】
発明３に係る電圧平滑回路によると、第１及び第２バランス抵抗の両方に常時電流が流れることがないため、第１及び第２バランス抵抗としては、寸法の比較的小さいものを利用することができると共に、第１及び第２バランス抵抗における発熱量を軽減することができる。従って、第１及び第２バランス抵抗が実装されているプリント基板を小さくすることができる。
【００３１】
発明４に係る電圧平滑回路によると、簡易な構成で第１及び第２バランス抵抗における発熱量を軽減することができる。
【００３２】
発明５に係る電圧平滑回路によると、第１及び第２平滑コンデンサには、ツェナー電圧である第１所定電圧及び第２所定電圧の値よりも大きい電圧が印加される。
【００３３】
発明６に係る電圧平滑回路によると、第１通電規制部及び第２通電規制部の双方に電流が流れるようになる。
【００３４】
発明７に係る電圧平滑回路によると、各平滑コンデンサに印加される電圧のバランスが保たれるようになる。
【００３５】
発明８に係る電圧平滑回路によると、簡易な構成で第１及び第２バランス抵抗に流れる電流の値を従来よりも小さくすることができ、よって第１及び第２バランス抵抗における発熱量を軽減することができる。
【００３６】
発明９に係る電圧平滑回路によると、第１及び第２平滑コンデンサには、ツェナー電圧である第１所定電圧及び第２所定電圧の値よりも大きい電圧が印加される。
【００３７】
発明１０に係る電圧平滑回路によると、第１平滑コンデンサ及び第２平滑コンデンサに流れる電流量を抑えることができ、第１平滑コンデンサ及び第２平滑コンデンサに印加される電圧を低くすることができる。
【図面の簡単な説明】
【００３８】
【図１】第１実施形態に係る電圧平滑回路を備えたモータ駆動装置の構成図。
【図２】第１実施形態に係る電圧平滑回路の回路図。
【図３】第１実施形態において、第１平滑コンデンサの両端に第１ツェナー電圧以上の電圧が印加された場合に、電圧平滑回路に流れる電流の経路を示す図。
【図４】第１実施形態において、第２平滑コンデンサの両端に第２ツェナー電圧以上の電圧が印加された場合に、電圧平滑回路に流れる電流の経路を示す図。
【図５】第１実施形態の変形例（ａ）に係る電圧平滑回路の回路図。
【図６】第２実施形態において、第１平滑コンデンサの両端電圧が第２平滑コンデンサの両端電圧とバランスが保たれている場合に、電圧平滑回路に流れる電流の経路を示す図。
【図７】第２実施形態において、第１平滑コンデンサの両端電圧が第２平滑コンデンサの両端電圧よりも大きい場合に、電圧平滑回路に流れる電流の経路を示す図。
【図８】第２実施形態において、第１平滑コンデンサの両端電圧が第２平滑コンデンサの両端電圧よりも小さい場合に、電圧平滑回路に流れる電流の経路を示す図。
【図９】第２実施形態の変形例（ａ）に係る電圧平滑回路の回路図。
【発明を実施するための形態】
【００３９】
以下、本発明に係る電圧平滑回路について、図を用いて詳述する。
【００４０】
＜第１実施形態＞
（１）概要
図１は、本実施形態に係る電圧平滑回路１４を備えたモータ駆動装置１の構成図である。このモータ駆動装置１は、例えば空気調和装置の圧縮機の駆動源である圧縮機用モータ５２の駆動用として利用される。圧縮機用モータ５２の種類としては、例えば３相のブラシレスＤＣモータが挙げられる。
【００４１】
モータ駆動装置１は、主として、電源部１３、電圧平滑回路１４、インバータ部１５、及び電流検出部１６を備える。電源部１３は、ダイオードブリッジ１１及びリアクトル１２を有しており、ダイオードブリッジ１１、電圧平滑回路１４、インバータ部１５及び電流検出部１６は、１つのプリント基板Ｐ１上に構成されている。リアクトル１２は、プリント基板Ｐ１のインターフェースＩＦ４，ＩＦ５を介してプリント基板Ｐ１に外付けされている。
【００４２】
ダイオードブリッジ１１は、６つのダイオードＤ１ａ，Ｄ１ｂ，Ｄ１ｃ，Ｄ１ｄ，Ｄ１ｅ，Ｄ１ｆで構成されている。ダイオードＤ１ａ及びＤ１ｂ、Ｄ１ｃ及びＤ１ｄ，Ｄ１ｅ及びＤ１ｆは、それぞれ互いに直列に接続されると共に、これらは互いに並列となるように接続されている。直列接続されたダイオードＤ１ａ〜Ｄ１ｂ，Ｄ１ｃ〜Ｄ１ｄ，Ｄ１ｅ〜Ｄ１ｆの各接続点は、プリント基板Ｐ１上のインターフェースＩＦ１，ＩＦ２，ＩＦ３を介して３相の商用電源５１に接続されている。このようなダイオードブリッジ１１により、商用電源５１から出力された交流電圧は整流される。リアクトル１２は、ダイオードＤ１ａ，Ｄ１ｃ，Ｄ１ｅの各カソードが接続されている電源配線Ｌ１上に、直列に接続されている。このリアクトル１２により、ダイオードブリッジ１１によって整流された電圧は、更に直流電圧に近い波形を有するようになり、電圧平滑回路１４に印加される。尚、ダイオードＤ１ｂ，Ｄ１ｄ，Ｄ１ｆの各アノードは、ＧＮＤ配線Ｌ２に接続されている。
【００４３】
電圧平滑回路１４は、電源部１３から出力された電圧を平滑するための回路であって、電源部１３とインバータ部１５との間に配されている。電圧平滑回路１４の詳細については、後述する。
【００４４】
インバータ部１５は、絶縁ゲート型バイポーラトランジスタＱ５ａ，Ｑ５ｂ，Ｑ５ｃ，Ｑ５ｄ，Ｑ５ｅ，Ｑ５ｆ（以下、単にトランジスタという）と、還流用のダイオードＤ５ａ，Ｄ５ｂ，Ｄ５ｃ，Ｄ５ｄ，Ｄ５ｅ，Ｄ５ｆとで構成されている。トランジスタＱ５ａ及びＱ５ｂ、Ｑ５ｃ及びＱ５ｄ、Ｑ５ｅ及びＱ５ｆは、電源配線Ｌ１とＧＮＤ配線Ｌ２との間に直列に接続されている。トランジスタＱ５ａ及びＱ５ｂ、Ｑ５ｃ及びＱ５ｄ、Ｑ５ｅ及びＱ５ｆの間の各接続点ＮＵ，ＮＶ，ＮＷは、プリント基板Ｐ１上のインターフェースＩＦ６，Ｉｆ７，Ｉｆ８を介して圧縮機用モータ５２に接続されている。ダイオードＤ５ａ〜Ｄ５ｆは、各トランジスタＱ５ａ〜Ｑ５ｆに逆電圧が印加された場合に導通するような特性を有しており、各トランジスタＱ５ａ〜Ｑ５ｆに並列に接続されている。このような構成を有するインバータ部１５は、マイクロコンピュータ（図示せず）から送られてくるゲート制御電圧に基づいてトランジスタＱ５ａ〜Ｑ５ｆがオン及びオフすることで、圧縮機用モータ５２を駆動するための駆動電圧を生成する。この駆動電圧により、圧縮機用モータ５２は回転駆動する。
【００４５】
電流検出部１６は、圧縮機用モータ５２に流れたモータ電流を検出する。電流検出部１６は、主として、電圧平滑回路１４及びインバータ部１５の間であってかつＧＮＤ配線Ｌ２上に直列に接続されているシャント抵抗や、シャント抵抗の両端電圧に基づいてモータ電流を演算するマイクロコンピュータ（図示せず）で構成される。
【００４６】
（２）電圧平滑回路の構成
次に、本実施形態に係る電圧平滑回路１４の構成について、図２を用いて具体的に説明する。尚、図２では、図を簡単にするため、図１から電源部１３及び電圧平滑回路１４のみを抜き出して図示している。また、既に述べたように、電圧平滑回路１４には、電源部１３によって直流電圧に近い波形を有するようになった商用電源５１からの電圧が電源配線Ｌ１を介して印加されるため、電源部１３を“直流電源”として表している。図２では、電源部１３から出力される電圧の値を、“Ｖｄｃ”として表している。
【００４７】
電圧平滑回路１４は、第１平滑コンデンサＣ１、第２平滑コンデンサＣ２、第１バランス抵抗Ｒ３、第２バランス抵抗Ｒ４、第１ツェナーダイオードＲＺ３（第１通電規制部に相当）、及び第２ツェナーダイオードＲＺ４（第２通電規制部に相当）を備える。
【００４８】
（２−１）第１平滑コンデンサ及び第２平滑コンデンサ
第１平滑コンデンサＣ１及び第２平滑コンデンサＣ２は、互いに直列に接続されていると共に、電源部１３に対して並列に接続されている。具体的には、電源配線Ｌ１には、第１平滑コンデンサＣ１の一端が接続され、ＧＮＤ配線Ｌ２には、第２平滑コンデンサＣ２の一端が接続されている。第１平滑コンデンサＣ１及び第２平滑コンデンサＣ２の各他端は、互いに接続されている。このような第１平滑コンデンサＣ１及び第２平滑コンデンサＣ２は、電源部１３から出力された電圧を更に平滑化させる。
【００４９】
ここで、一般的に、コンデンサの等価回路は、互いに並列に接続された容量成分及び抵抗成分（以下、内部抵抗という）の他、これらの成分に直列に接続されたインダクタンス成分によって構成される。図２では、説明を簡単にするため、インダクタンス成分を省略し、第１及び第２平滑コンデンサＣ１，Ｃ２を、それぞれ内部抵抗Ｒ１ａ，Ｒ２ａ及び容量成分Ｃ１ａ，Ｃ２ａで表している。第１平滑コンデンサＣ１の内部抵抗Ｒ１ａ及び容量成分Ｃ１ａは、互いに並列に接続されている。第２平滑コンデンサＣ２の内部抵抗Ｒ２ａ及び容量成分Ｃ２ａは、互いに並列に接続されている。
【００５０】
尚、第１平滑コンデンサＣ１及び第２平滑コンデンサＣ２は、同じ容量値であって、一例としては１９２０μＣが挙げられる。また、第１平滑コンデンサＣ１及び第２平滑コンデンサＣ２として用いられるコンデンサの種類としては、電解コンデンサやタンタルコンデンサ、セラミックコンデンサ等があるが、本実施形態では、第１平滑コンデンサＣ１及び第２平滑コンデンサＣ２として電解コンデンサを用いる。
【００５１】
（２−２）第１バランス抵抗及び第２バランス抵抗
第１バランス抵抗Ｒ３は、第１平滑コンデンサＣ１に並列に接続され、第２バランス抵抗Ｒ４は、第２平滑コンデンサＣ２に並列に接続されている。つまり、第１バランス抵抗Ｒ３は、電源配線Ｌ１側（即ち、上側）に設けられ、第２バランス抵抗Ｒ４は、ＧＮＤ配線Ｌ２側（即ち、下側）に設けられている。具体的には、第１バランス抵抗Ｒ３は、一端が電源配線Ｌ１に接続され、他端は第１ツェナーダイオードＲＺ３のカソードに接続されている。第２バランス抵抗Ｒ４は、一端が第１平滑コンデンサＣ１及び第２平滑コンデンサＣ３の接続点ｓ１に接続され、他端が第２ツェナーダイオードＲＺ４のカソードに接続されている。
【００５２】
また、第１バランス抵抗Ｒ３は、第１平滑コンデンサＣ１の内部抵抗Ｒ１ａの値よりも小さい抵抗値を有し、第２バランス抵抗Ｒ４は、第２平滑コンデンサＣ２の内部抵抗Ｒ２ａの値よりも小さい抵抗値を有している。これは、第１バランス抵抗Ｒ３及び第２バランス抵抗Ｒ４の抵抗値を小さい値に決定する程制御性が向上し、よって第１平滑コンデンサＣ１及び第２平滑コンデンサＣ２それぞれに印加される両電圧のバランスをとることができるからである。そこで、本実施形態においては、第１バランス抵抗Ｒ３及び第２バランス抵抗Ｒ４の抵抗値は、第１平滑コンデンサＣ１の内部抵抗Ｒ１ａ及び第２平滑コンデンサＣ２の内部抵抗Ｒ２ａのバラツキの下限値に対し、十分小さい値に決定される。一例としては、第１バランス抵抗Ｒ３及び第２バランス抵抗Ｒ４は、それぞれ内部抵抗Ｒ１ａ，Ｒ２ａの１／１０〜１／２０程度に決定される。しかしながら、第１バランス抵抗Ｒ３及び第２バランス抵抗Ｒ４の値を小さくする程、第１バランス抵抗Ｒ３及び第２バランス抵抗Ｒ４に流れる電流が大きくなることから、各バランス抵抗Ｒ３，Ｒ４における電力損失が大きくなってしまう。そのため、当該電力損失を考慮して、当該電力損失が目標の電力損失量となるように第１バランス抵抗Ｒ３及び第２バランス抵抗Ｒ４の抵抗値が決定されることが望ましい。
【００５３】
ここで、第１バランス抵抗Ｒ３及び第２バランス抵抗Ｒ４の具体的な例としては、第１平滑コンデンサＣ１の内部抵抗Ｒ１ａが“１０７５ｋΩ”、第２平滑コンデンサＣ２の内部抵抗Ｒ２ａが“４２０ｋΩ”であるとした場合、第１バランス抵抗Ｒ３及び第２バランス抵抗Ｒ４の抵抗値は共に“５０ｋΩ（１／８Ｗ）”と決定することができる。このように、本実施形態に係る第１バランス抵抗Ｒ３及び第２バランス抵抗Ｒ４は、従来の手法におけるバランス抵抗の値に比して印加される電圧を大幅に低くできるため、損失を小さくでき、チップ抵抗のように比較的サイズの小さい抵抗を用いることができる。これに対し、従来に係る手法においては、バランス抵抗は例えば“５．６ｋΩ（１０Ｗ）の３直列”のように比較的大きい値であったため、寸法の大きいセメント抵抗を用いることが主流であった。
【００５４】
（２−３）第１ツェナーダイオード及び第２ツェナーダイオード
第１ツェナーダイオードＲＺ３は、第１バランス抵抗Ｒ３に直列に接続されている。より具体的には、第１ツェナーダイオードＲＺ３のアノードは第１平滑コンデンサＣ１及び第２平滑コンデンサＣ２の接続点ｓ１に接続され、カソードは第１バランス抵抗Ｒ３に接続されている。このような第１ツェナーダイオードＲＺ３は、第１ツェナー電圧Ｖｒ３（第１所定電圧に相当）以上の電圧が印加された場合、第１バランス抵抗Ｒ３に一方向に電流を流す（図３参照）。ここで言う一方向とは、第１ツェナーダイオードＲＺ３の逆方向、つまりカソードからアノードへの方向である。
【００５５】
第２ツェナーダイオードＲＺ４は、第２バランス抵抗Ｒ４に直列に接続されている。より具体的には、第２ツェナーダイオードＲＺ４のアノードはＧＮＤ配線Ｌ２に接続され、カソードは第２バランス抵抗Ｒ４に接続されている。このような第２ツェナーダイオードＲＺ４は、第２ツェナー電圧Ｖｒ４（第２所定電圧に相当）以上の電圧が印加された場合、第２バランス抵抗Ｒ４に一方向に電流を流す（図４参照）。ここで言う一方向とは、第２ツェナーダイオードＲＺ４の逆方向、つまりカソードからアノードへの方向である。
【００５６】
特に、本実施形態においては、電圧Ｖｄｃが例えば“７１８Ｖ”であるとした場合、第１ツェナー電圧Ｖｒ３及び第２ツェナー電圧Ｖｒ４は、電圧Ｖｄｃの値に基づいて共に“３６０Ｖ”と決定される。第１ツェナー電圧Ｖｒ３及び第２ツェナー電圧Ｖｒ４は、共に電圧Ｖｄｃ以下の値であるが、これらの合計が電圧Ｖｄｃの値以上となるように決定されている。これにより、第１ツェナーダイオードＲＺ３及び第２ツェナーダイオードＲＺ４双方に第１ツェナー電圧Ｖｒ３以上及び第２ツェナー電圧Ｖｒ４以上となる電圧が印加されることはなく、第１ツェナーダイオードＲＺ３及び第２ツェナーダイオードＲＺ４のいずれか一方にのみ、第１ツェナー電圧Ｖｒ３以上または第２ツェナー電圧Ｖｒ４の電圧が印加されるようになる。即ち、第１ツェナーダイオードＲＺ３に第１ツェナー電圧Ｖｒ３以上の電圧が印加された場合には、第２ツェナーダイオードＲＺ４には第２ツェナー電圧Ｖｒ４以上の電圧が印加されない。逆に、第２ツェナーダイオードＲＺ４に第２ツェナー電圧Ｖｒ４以上の電圧が印加された場合には、第１ツェナーダイオードＲＺ３には第１ツェナー電圧Ｖｒ３以上の電圧は印加されない。
【００５７】
従って、第１平滑コンデンサＣ１及び第２平滑コンデンサＣ２の各内部抵抗Ｒ１ａ，Ｒ２ａのバラツキによって、第１ツェナーダイオードＲＺ３に第１ツェナー電圧Ｖｒ３以上の電圧が印加されれば、第１バランス抵抗Ｒ３を含む上側の電流経路Ｉ３に電流が流れるが、第２バランス抵抗Ｒ４を含む下側の電流経路Ｉ４には電流が流れない。よって、電流経路Ｉ３上を流れた電流は、第２平滑コンデンサＣ２の内部抵抗Ｒ２ａに流れ込む。逆に、各内部抵抗Ｒ１ａ，Ｒ２ａのバラツキによって、第２ツェナーダイオードＲＺ４に第２ツェナー電圧Ｖｒ４以上の電圧が印加されれば、下側の電流経路Ｉ４に電流が流れるが、上側の電流経路Ｉ３には電流が流れない。よって、電流経路Ｉ４上を流れる電流は、第１平滑コンデンサＣ１の内部抵抗Ｒ１ａから流れてくる。即ち、第１ツェナー電圧Ｖｒ３及び第２ツェナー電圧Ｖｒ４は、第１ツェナーダイオードＲＺ３及び第２ツェナーダイオードＲＺ４のいずれか一方にのみ電流が流れるように決定されていると言える。
【００５８】
更に、本実施形態においては、第１ツェナー電圧Ｖｒ３及び第２ツェナー電圧Ｖｒ４は、第１平滑コンデンサＣ１及び第２平滑コンデンサＣ２の定格電圧よりも小さくなるように決定されている。これは、第１平滑コンデンサＣ１及び第２平滑コンデンサＣ２に印加される電圧それぞれを、第１ツェナー電圧Ｖｒ３及び第２ツェナー電圧Ｖｒ４の値より大きくなるようにするためである。第１平滑コンデンサＣ１及び第２平滑コンデンサＣ２には、定格電圧が例えば４００Ｖ等のように数百ボルトであるものが利用される。第１ツェナー電圧Ｖｒ３及び第２ツェナー電圧Ｖｒ４が大きい値に決定される程、第１バランス抵抗Ｒ３及び第２バランス抵抗Ｒ４の電力損失を小さくすることができるため、第１バランス抵抗Ｒ３及び第２バランス抵抗Ｒ４における発熱量も小さくなる。そこで、本実施形態では、上述したように各ツェナー電圧Ｖｒ３，Ｖｒ４を、各平滑コンデンサＣ１，Ｃ２の定格電圧よりも小さい“３６０Ｖ”と決定することで、各バランス抵抗Ｒ３，Ｒ４の電力損失を小さくしている。
【００５９】
尚、各ツェナー電圧Ｖｒ３，Ｖｒ４の値は、上述した電圧Ｖｄｃや第１平滑コンデンサＣ１及び第２平滑コンデンサＣ２の定格電圧の他、第１バランス抵抗Ｒ３及び第２バランス抵抗Ｒ４の値も考慮して決定される。
【００６０】
（３）電圧平滑回路の動作
次に、電圧平滑回路１４の動作について、図３，４を用いて説明する。
【００６１】
先ず、電圧平滑回路１４の構成によると、第１平滑コンデンサＣ１の両端に印加される電圧Ｖ１は、電流経路Ｉ３上、即ち第１バランス抵抗Ｒ３から第１ツェナーダイオードＲＺ３までに印加される電圧と等しい（図３，４参照）。第２平滑コンデンサＣ２の両端に印加される電圧Ｖ２は、電流経路Ｉ４上、即ち第２バランス抵抗Ｒ４から第２ツェナーダイオードＲＺ４までに印加される電圧と等しい（図３，４参照）。
【００６２】
他方、各平滑コンデンサＣ１，Ｃ２としては同じコンデンサを使用しているため、理想的には、各内部抵抗Ｒ１ａ，Ｒ２ａ間のバラツキがほぼないかまたはバラツキが小さく（Ｒ１ａ≒Ｒ２ａ）、よって第１平滑コンデンサＣ１の両端に印加される電圧Ｖ１と第２平滑コンデンサＣ２の両端に印加される電圧Ｖ２とが、それぞれ各平滑コンデンサＣ１，Ｃ２の定格電圧以下となり、かつほぼ等しくなる状態となる。この理想状態では、各電流経路Ｉ３，Ｉ４に印加される電圧Ｖ１，Ｖ２は、それぞれ第１ツェナー電圧Ｖｒ３及び第２ツェナー電圧Ｖｒ４以下となる（Ｖ１＜Ｖｒ３，Ｖ２＜Ｖｒ４）。すると、電流経路Ｉ３，Ｉ４上には電流が流れることなく、第１及び第２平滑コンデンサＣ１，Ｃ２は電圧のバランスが保たれた状態を採る。
【００６３】
しかし、第１平滑コンデンサＣ１の内部抵抗Ｒ１ａ及び第２平滑コンデンサＣ２の内部抵抗Ｒ２ａにバラツキがあると、各平滑コンデンサＣ１，Ｃ２に印加される電圧Ｖ１，Ｖ２と各ツェナー電圧Ｖｒ３、Ｖｒ４との間に大小関係が生じ、第１及び第２平滑コンデンサＣ１，Ｃ２の電圧のバランスは崩れた状態を採ることとなる。当該大小関係に基づき、電圧平滑回路１４は、以下のいずれかの動作を採る。
【００６４】
（３−１）第１平滑コンデンサＣ１の両端に、第１ツェナー電圧Ｖｒ３以上の電圧が印加された場合（Ｖ１＞Ｖｒ３）
この場合、第１平滑コンデンサＣ１の両端だけではなく、第１ツェナーダイオードＲＺ３にも第１ツェナー電圧Ｖｒ３以上の電圧Ｖ１が印加され、第１ツェナーダイオードＲＺ３が動作する。すると、第１ツェナーダイオードＲＺ３の両端電圧は、一定電圧、つまりは第１ツェナー電圧Ｖｒ３にクランプされ、電流経路Ｉ３上には、図３の矢印で示すように、第１バランス抵抗Ｒ３及び第１ツェナーダイオードＲＺ３の順に電流が流れる。一方、第２平滑コンデンサＣ２の両端に印加される電圧Ｖ２は“Ｖｄｃ−Ｖ１”と表されることから、当該電圧Ｖ２は第２ツェナー電圧Ｖｒ４よりも小さい。従って、第２ツェナーダイオードＲＺ４は動作せず、電流経路Ｉ４上には電流は流れない。
【００６５】
電流経路Ｉ３上を流れた電流は、接続点ｓ１を経て第２平滑コンデンサＣ２の内部抵抗Ｒ２ａに流れ込む。第１平滑コンデンサＣ１の両端に印加される電圧Ｖ１が大きい程、電流経路Ｉ３上を介して内部抵抗Ｒ２ａに流れ込む電流量が多くなる。
【００６６】
このようにして内部抵抗Ｒ２ａに電流が流れ込むことにより、第２平滑コンデンサＣ２の両端に印加される電圧Ｖ２が大きくなる。電圧Ｖ１は“Ｖｄｃ−Ｖ２”と表されるので、電圧Ｖ２が大きくなるにつれて小さくなっていく。
【００６７】
上記動作により、やがて電圧Ｖ２及び電圧Ｖ１はほぼ等しくなり、電流経路Ｉ３には電流が流れなくなる。即ち、上記動作は、第１平滑コンデンサＣ１の両端に印加される電圧Ｖ１が第１ツェナー電圧Ｖｒ３とほぼ等しくなり、第１及び第２平滑コンデンサＣ１，Ｃ２の電圧のバランスが保たれた状態となるまで、継続して行われる。
【００６８】
（３−２）第２平滑コンデンサＣ２の両端に、第２ツェナー電圧Ｖｒ４以上の電圧が印加された場合（Ｖ２＞Ｖｒ４）
この場合、第２平滑コンデンサＣ２の両端だけではなく、第２ツェナーダイオードＲＺ４にも第２ツェナー電圧Ｖｒ４以上の電圧Ｖ２が印加され、第２ツェナーダイオードＲＺ４が動作する。すると、第２ツェナーダイオードＲＺ４の両端電圧は、一定電圧、つまりは第２ツェナー電圧Ｖｒ４にクランプされ、電流経路Ｉ４上には、図４の矢印で示すように、第２バランス抵抗Ｒ４及び第２ツェナーダイオードＲＺ４の順に電流が流れる経路が形成される。一方、第１平滑コンデンサＣ１の両端に印加される電圧Ｖ１は“Ｖｄｃ−Ｖ２”と表されることから、当該電圧Ｖ１は第１ツェナー電圧Ｖｒ３よりも小さい。従って、第１ツェナーダイオードＲＺ３は動作せず、電流経路Ｉ３上には電流は流れない。
【００６９】
上記のように、電流経路Ｉ４上は通電可能となるが、電流経路Ｉ３上は通電可能ではないため、第１平滑コンデンサＣ１の内部抵抗Ｒ１ａを電流が流れるようになる。つまり、電流経路Ｉ４によって第１平滑コンデンサＣ１側から電流が引っ張られることとなり、内部抵抗Ｒ１ａを流れた電流は、接続点ｓ１を経て電流経路Ｉ４に流れる。第２平滑コンデンサＣ２の両端に印加される電圧Ｖ２が大きい程、内部抵抗Ｒ１ａを経て電流経路Ｉ４に流れる電流量が多くなる。
【００７０】
このようにして内部抵抗Ｒ１ａに電流が流れることにより、第１平滑コンデンサＣ１の両端に印加される電圧Ｖ１が大きくなる。電圧Ｖ２は“Ｖｄｃ−Ｖ１”と表されるので、電圧Ｖ１が大きくなるにつれて小さくなっていく。
【００７１】
上記動作により、やがて電圧Ｖ１及び電圧Ｖ２はほぼ等しくなり、電流経路Ｉ４には電流が流れなくなる。即ち、上記動作は、第２平滑コンデンサＣ２の両端に印加される電圧Ｖ２が第２ツェナー電圧Ｖｒ４とほぼ等しくなり、第１及び第２平滑コンデンサＣ１，Ｃ２の電圧のバランスが保たれた状態となるまで、継続して行われる。
【００７２】
（４）効果
（Ａ）
本実施形態に係る電圧平滑回路１４では、第１通電規制部である第１ツェナーダイオードＲＺ３に第１所定電圧である第１ツェナー電圧Ｖｒ３以上の電圧が印加された場合には、第１バランス抵抗Ｒ３に電流が流れ、この電流は例えば第２平滑コンデンサＣ２の内部抵抗Ｒ２ａに流れる（図３）。逆に、第２通電規制部である第２ツェナーダイオードＲＺ４に第２所定電圧である第２ツェナー電圧Ｖｒ４以上の電圧が印加された場合には、第２バランス抵抗Ｒ４に電流が流れることによって、例えば第１平滑コンデンサＣ１の内部抵抗Ｒ１ａにも電流が流れる（図４）。第１平滑コンデンサＣ１に電流が流れた場合には、第１平滑コンデンサＣ１の両端の電圧Ｖ１が上がり、第２平滑コンデンサＣ２に電流が流れた場合には、第２平滑コンデンサＣ２の両端の電圧Ｖ２が上がるため、簡易な構成で、各平滑コンデンサＣ１，Ｃ２に印加される電圧のバランスを保つことができる。
【００７３】
尚、本実施形態に係る電圧平滑回路１４では、第１ツェナー電圧Ｖｒ３以上または第２ツェナー電圧Ｖｒ４以上の電圧の印加の仕方によっては、第１及び第２バランス抵抗Ｒ３，Ｒ４の両方に常時電流が流れることがなくなり、第１及び第２バランス抵抗Ｒ３，Ｒ４としては、従来ほどの耐圧性能を備えた抵抗（例えばセメント抵抗）を用いずともよく、寸法の比較的小さいもの（例えばチップ抵抗）を利用することができる。従って、第１及び第２バランス抵抗Ｒ３，Ｒ４が実装されるプリント基板Ｐ１において、第１及び第２バランス抵抗Ｒ３，Ｒ４の占める面積が小さくなるため、プリント基板Ｐ１を小さくすることができる。また、第１及び第２バランス抵抗Ｒ３，Ｒ４の両方に常時電流が流れることがなくなれば、第１及び第２バランス抵抗Ｒ３，Ｒ４における発熱量を軽減することができるため、各バランス抵抗Ｒ３，Ｒ４付近の電子部品への影響を抑えることができる。
【００７４】
（Ｂ）
特に、本実施形態に係る電圧平滑回路１４では、第１ツェナーダイオードＲＺ３及び第２ツェナーダイオードＲＺ４のいずれか一方にのみ、第１ツェナー電圧Ｖｒ３以上または第２ツェナー電圧Ｖｒ４以上の電圧が印加されるため、第１及び第２バランス抵抗Ｒ３，Ｒ４の両方に常時電流が流れることがない。従って、第１及び第２バランス抵抗Ｒ３，Ｒ４としては、寸法の比較的小さいもの（例えばチップ抵抗）を利用することができると共に、第１及び第２バランス抵抗Ｒ３，Ｒ４における発熱量を軽減することができる。
【００７５】
（Ｃ）
また、本実施形態に係る電圧平滑回路１４では、例えば電源部１３が出力する電圧の値が“７１８Ｖ”であるとした場合、各ツェナーダイオードＲＺ３，ＲＺ４の各ツェナー電圧Ｖｒ３，Ｖｒ４は、共に“３６０Ｖ”と決定される。これにより、第１ツェナーダイオードＲＺ３及び第２ツェナーダイオードＲＺ４のいずれか一方にのみ電流が流れるようになるため、簡易な構成で第１及び第２バランス抵抗Ｒ３，Ｒ４における発熱量を軽減することができる。
【００７６】
（Ｄ）
また、本実施形態に係る電圧平滑回路１４では、第１ツェナー電圧Ｖｒ３及び第２ツェナー電圧Ｖｒ４が、第１平滑コンデンサＣ１及び第２平滑コンデンサＣ２の定格電圧とほぼ同じかまたはそれ以下である。これにより、第１及び第２平滑コンデンサＣ１，Ｃ２には、第１ツェナー電圧Ｖｒ３及び第２ツェナー電圧Ｖｒ４の値と同じかまたは大きい電圧が印加される。
【００７７】
（Ｅ）
また、本実施形態に係る電圧平滑回路１４では、第１バランス抵抗Ｒ３は、第１平滑コンデンサＣ１の内部抵抗Ｒ１ａの値よりも小さい抵抗値を有する。第２バランス抵抗Ｒ４は、第２平滑コンデンサＣ２の内部抵抗Ｒ２ａの値よりも小さい抵抗値を有する。これにより、第１平滑コンデンサＣ１及び第２平滑コンデンサＣ２の各内部抵抗Ｒ１ａ，Ｒ２ａに流れる電流量よりも、第１バランス抵抗Ｒ３及び第２バランス抵抗Ｒ４に流れる電流量の方が多くなるため、第１平滑コンデンサＣ１及び第２平滑コンデンサＣ２に流れる電流量を抑えることができる。従って、第１平滑コンデンサＣ１及び第２平滑コンデンサＣ２に印加される電圧を低くすることができる。
【００７８】
（５）変形例
（ａ）
本実施形態では、電圧平滑回路１４が図２〜４に示す構成である場合について説明した。しかし、電圧平滑回路は、図５に示すような構成であってもよい。図５の電圧平滑回路１４’は、既に説明した電圧平滑回路１４の構成に加え、更に第１補助抵抗Ｒ３１及び第２補助抵抗Ｒ３２を備えている。第１補助抵抗Ｒ３１は、第１ツェナーダイオードＲＺ３の両端に並列に接続されている。第２補助抵抗Ｒ３２は、第２ツェナーダイオードＲＺ４の両端に並列に接続されている。
【００７９】
図５に係る電圧平滑回路１４’によると、第１ツェナー電圧Ｖｒ３以上の電圧Ｖ１が第１ツェナーダイオードＲＺ３に印加された場合（Ｖ１＞Ｖｒ３）、第１バランス抵抗Ｒ３を流れる電流は、第１ツェナーダイオードＲＺ３及び第１補助抵抗Ｒ３１に分岐して流れる。逆に、第２ツェナー電圧Ｖｒ４以上の電圧Ｖ２が第２ツェナーダイオードＲＺ４に印加された場合（Ｖ２＞Ｖｒ４）、第２バランス抵抗Ｒ４を流れる電流は、第２ツェナーダイオードＲＺ４及び第２補助抵抗Ｒ３２に分岐して流れる。これにより、第１ツェナーダイオードＲＺ３及び第２ツェナーダイオードＲＺ４それぞれに流れる電流量は、電圧平滑回路１４に比して小さくなるため、第１ツェナーダイオードＲＺ３及び第２ツェナーダイオードＲＺ４の作動電圧や定格電力を低く設定することができ、第１ツェナーダイオードＲＺ３及び第２ツェナーダイオードＲＺ４としては、定格電流の比較的小さいものを用いることができる。従って、電圧平滑回路１４’に係るコストの低減化（特に、第１ツェナーダイオードＲＺ３及び第２ツェナーダイオードＲＺ４のコスト削減）を図ることができる。
【００８０】
また、第１補助抵抗Ｒ３１及び第２補助抵抗Ｒ３２は、モータ駆動装置１の電源遮断時には第１平滑コンデンサＣ１及び第２平滑コンデンサＣ２の放電回路として機能することもできる。従って、第１平滑コンデンサＣ１及び第２平滑コンデンサＣ２の放電回路を別途設ける必要がない。
【００８１】
尚、電圧平滑回路１４’は、第１補助抵抗Ｒ３１及び第２補助抵抗Ｒ３２を除き、図２〜４と同様の構成を有しているため、図５においては、第１補助抵抗Ｒ３１及び第２補助抵抗Ｒ３２を除いては図２〜４と同じ符号を付している。
【００８２】
（ｂ）
本実施形態では、図２〜４に示すように、第１ツェナーダイオードＲＺ１及び第２ツェナーダイオードＲＺ２が共に１つずつ設けられており、第１ツェナー電圧Ｖｒ３及び第２ツェナー電圧Ｖｒ４それぞれが３６０Ｖである場合について説明した。しかしながら、一般的に流通しているツェナーダイオードとしては、ツェナー電圧が１００Ｖ〜１５０Ｖ程度のものが多く、３６０Ｖのように比較的大きいものが少ない。そこで、複数個のツェナーダイオードを直列に接続することで、第１ツェナーダイオードＲＺ１や第２ツェナーダイオードＲＺ２として利用してもよい。例えば、ツェナー電圧を“３６０Ｖ”とする場合には、ツェナー電圧が１２０Ｖ程度であるツェナーダイオードを３個直列接続することで対応可能である。
【００８３】
しかし、ツェナーダイオードを複数個用いる場合には、必然的に部品コストが高くなってしまう。従って、利用するツェナーダイオードのコストと、第１バランス抵抗Ｒ３及び第２バランス抵抗Ｒ４の電力損失の目標値などを総合考慮し、第１ツェナー電圧Ｖｒ３及び第２ツェナー電圧Ｖｒ４を決定するとよい。
【００８４】
（ｃ）
本実施形態では、図２〜４に示すように、電流経路Ｉ３上においては、電圧の高い側から順に第１バランス抵抗Ｒ３及び第１ツェナーダイオードＲＺ３の順で接続され、電流経路Ｉ４上においては、第２バランス抵抗Ｒ４及び第２ツェナーダイオードＲＺ４の順で接続されている場合について説明した。しかし、各電流経路Ｉ３，Ｉ４上の素子の接続順は、上記順番に限定されない。
【００８５】
（ｄ）
本実施形態では、所定電圧以上の電圧が印加された場合に、第１バランス抵抗Ｒ３または第２バランス抵抗Ｒ４に一方向に電流を流す第１通電規制部及び第２通電規制部が、それぞれ第１ツェナーダイオードＲＺ３及び第２ツェナーダイオードＲＺ４で構成されている場合について説明した。しかし、第１通電規制部及び第２通電規制部は、所定電圧以上の電圧が印加された場合に第１または第２バランス抵抗Ｒ３，Ｒ４に一方向に電流を流すことができるものであればどのようなものであってもよく、ツェナーダイオード以外で構成されていてもよい。
【００８６】
＜第２実施形態＞
上記第１実施形態では、第１ツェナーダイオードＲＺ３及び第２ツェナーダイオードＲＺ４のいずれか一方にのみ電流が流れる場合について説明したが、本実施形態では、上記第１実施形態とは異なる動作をする電圧平滑回路について説明する。
【００８７】
尚、本実施形態に係る電圧平滑回路１１４は、上記実施形態と同様、図１にて示したモータ駆動装置１に備えられており、電源部１３から出力された電圧を平滑する。電源部１３は、上記実施形態に係る電源部１３と同様であるので、同じ符号を付している。
【００８８】
（１）電圧平滑回路の構成
次に、本実施形態に係る電圧平滑回路１１４の構成について、図６〜８を用いて具体的に説明する。図６〜８は、図２と同様、図１から電源部１３及び電圧平滑回路１１４のみを抜き出して図示している。
【００８９】
電圧平滑回路１１４は、電源部１３から出力された電圧を平滑する回路であって、その主な回路構成は、上記第１実施形態に係る電圧平滑回路１４と同様である。つまり、電圧平滑回路１１４は、第１平滑コンデンサＣ１１、第２平滑コンデンサＣ１２、第１バランス抵抗Ｒ１３、第２バランス抵抗Ｒ１４、第１ツェナーダイオードＲＺ１３（第１通電規制部に相当）、及び第２ツェナーダイオードＲＺ１４（第２通電規制部に相当）を備える。
【００９０】
第１平滑コンデンサＣ１１及び第２平滑コンデンサＣ１２は、互いに直列に接続されており、電源部１３に対して並列に接続されている。第１平滑コンデンサＣ１１及び第２平滑コンデンサＣ１２は、それぞれ内部抵抗Ｒ１１ａ，Ｒ１２ａ及び容量成分Ｃ１１ａ，Ｃ１２ａを有しており、電源部１３から出力された電圧を更に平滑化させる。
【００９１】
第１バランス抵抗Ｒ１３は、第１平滑コンデンサＣ１１に並列に接続され、第２バランス抵抗Ｒ１４は、第２平滑コンデンサＣ１２に並列に接続されている。第１バランス抵抗Ｒ１３は、第１平滑コンデンサＣ１１の内部抵抗Ｒ１１ａの値よりも小さい抵抗値を有し、第２バランス抵抗Ｒ１４は、第２平滑コンデンサＣ１２の内部抵抗Ｒ１２ａの値よりも小さい抵抗値を有している。
【００９２】
第１ツェナーダイオードＲＺ１３は、第１バランス抵抗Ｒ１３に直列に接続され、第２ツェナーダイオードＲＺ１４は、第２バランス抵抗Ｒ１４に直列に接続されている。第１ツェナーダイオードＲＺ１３は、第１ツェナー電圧Ｖｒ１３（第１所定電圧に相当）以上の電圧が印加された場合、第１バランス抵抗Ｒ１３に一方向（つまり、第１ツェナーダイオードＲＺ１３のカソードからアノードへの方向）に電流を流す。第２ツェナーダイオードＲＺ１４は、第２ツェナー電圧Ｖｒ１４（第２所定電圧に相当）以上の電圧が印加された場合、第２バランス抵抗Ｒ１４に一方向（つまり、第２ツェナーダイオードＲＺ１４のカソードからアノードへの方向）に電流を流す。
【００９３】
また、第１ツェナー電圧Ｖｒ１３は、電源部１３の電圧Ｖｄｃの値に基づいて、第１平滑コンデンサＣ１の両端に印加される電圧Ｖ１１よりも低い値となるように決定される。第２ツェナー電圧Ｖｒ１４は、電源部１３の電圧Ｖｄｃの値に基づいて、第２平滑コンデンサＣ２の両端に印加される電圧Ｖ１２よりも低い値となるように決定される。一例としては、電圧Ｖｄｃが“７１８Ｖ”であるとした場合、第１ツェナー電圧Ｖｒ１３及び第２ツェナー電圧Ｖｒ１４は、それぞれ電圧Ｖｄｃ以下の“２４０Ｖ”と決定される。つまり、本実施形態では、第１ツェナーダイオードＲＺ１３及び第２ツェナーダイオードＲＺ１４は、上述した第１実施形態に係る第１ツェナーダイオードＲＺ３及び第２ツェナーダイオードＲＺ４に比してツェナー電圧の低いものを利用することで、第１実施形態よりも経済的に構成している。
【００９４】
これにより、各平滑コンデンサＣ１１，Ｃ１２が同じ容量値（一例としては１９２０μＣ）であるとすると、第１平滑コンデンサＣ１１及び第２平滑コンデンサＣ１２の各内部抵抗Ｒ１１ａ，Ｒ１２ａのバラツキがない場合には、第１平滑コンデンサＣ１１及び第２平滑コンデンサＣ１２の各両端にはそれぞれ３５９Ｖずつの電圧Ｖ１１，Ｖ１２が印加されることになる。この場合、第１ツェナーダイオードＲＺ１３には第１ツェナー電圧Ｖｒ１３以上の電圧が印加され、第２ツェナーダイオードＲＺ１４にも第２ツェナー電圧Ｖｒ１４以上の電圧が印加される。すると、第１バランス抵抗Ｒ１３及び第１ツェナーダイオードＲＺ１３で構成される上側の電流経路Ｉ１３、並びに第２バランス抵抗Ｒ１４及び第２ツェナーダイオードＲＺ１４で構成される下側の電流経路Ｉ１４の双方には、電流が流れることとなる。この時、第１平滑コンデンサＣ１１及び第２平滑コンデンサＣ１２の両端電圧Ｖ１１，Ｖ１２は等しいため、各内部抵抗Ｒ１１ａ，Ｒ１２ａには電流は流れない。
【００９５】
一方、各内部抵抗Ｒ１１ａ，Ｒ１２ａのバラツキがある場合にも、第１ツェナーダイオードＲＺ１３に第１ツェナー電圧Ｖｒ１３以上の電圧が印加されると共に、第２ツェナーダイオードＲＺ１４にも第２ツェナー電圧Ｖｒ１４が印加されることがある。つまり、本実施形態では、第１ツェナーダイオードＲＺ１３及び第２ツェナーダイオードＲＺ１４双方に第１ツェナー電圧Ｖｒ１３以上及び第２ツェナー電圧Ｖｒ１４以上となる電圧が印加されることがある。例えば、第１平滑コンデンサＣ１１の両端電圧Ｖ１１が３１０Ｖであって、第２平滑コンデンサＣ１２の両端電圧V１２が４０８Ｖである場合、各第１ツェナーダイオードＲＺ１３及び第２ツェナーダイオードＲＺ１４には、第１ツェナー電圧Ｖｒ１３以上の電圧及び第２ツェナー電圧Ｖｒ１４以上の電圧それぞれが印加されるため、第１ツェナーダイオードＲＺ１３を含む電流経路Ｉ１３及び第２ツェナーダイオードＲＺ１４を含む電流経路Ｉ１４それぞれには電流が流れる。このようにして各電流経路Ｉ１３，Ｉ１４を流れた電流は、これらの電流の差分が、第１平滑コンデンサＣ１１及び第２平滑コンデンサＣ１２の両端電圧Ｖ１１，Ｖ１２の大小に応じて内部抵抗Ｒ１１ａまたは内部抵抗Ｒ１２ａに流れる。
【００９６】
更に、第１実施形態と同様、第１ツェナー電圧Ｖｒ１３は、第１平滑コンデンサＣ１１の定格電圧以下となるように決定され、第２ツェナー電圧Ｖｒ１４は、第２平滑コンデンサＣ１２の定格電圧以下となるように決定されている。
【００９７】
また、各ツェナー電圧Ｖｒ１３，Ｖｒ１４の値は、上述した電圧Ｖｄｃや第１平滑コンデンサＣ１１及び第２平滑コンデンサＣ１２の定格電圧の他、第１バランス抵抗Ｒ１３及び第２バランス抵抗Ｒ１４の値も考慮して決定される。
【００９８】
（２）動作
次に、電圧平滑回路１１４の動作について、図６〜８を用いて説明する。尚、以下では、説明を簡単にするため、各バランス抵抗Ｒ１３，Ｒ１４の抵抗値は等しく、かつ各第１及び第２ツェナー電圧Ｖｒ１３，Ｖｒ１４は共に“２４０Ｖ”、電源部１３の電圧Ｖｄｃは７１８Ｖであるとする。
【００９９】
先ず、電圧平滑回路１１４の構成によると、第１平滑コンデンサＣ１１の両端に印加される電圧Ｖ１１は、電流経路Ｉ１３に印加される電圧と等しく、第２平滑コンデンサＣ１２の両端に印加される電圧Ｖ１２は、電流経路Ｉ１４に印加される電圧と等しい。他方、各平滑コンデンサＣ１１，Ｃ１２としては同じコンデンサを使用しているため、理想的には、各内部抵抗Ｒ１１ａ，Ｒ１２ａ間のバラツキがほぼないかまたはバラツキが小さく（Ｒ１１ａ≒Ｒ１２ａ）、よって第１平滑コンデンサＣ１の両端電圧Ｖ１１と第２平滑コンデンサＣ１２の両端電圧Ｖ１２とが、それぞれ各平滑コンデンサＣ１１，Ｃ１２の定格電圧以下となり、かつほぼ等しくなる状態となる。この理想状態では、各電流経路Ｉ１３，Ｉ１４に印加される電圧Ｖ１１，Ｖ１２は、それぞれ第１ツェナー電圧Ｖｒ１３及び第２ツェナー電圧Ｖｒ１４以上であるため（Ｖ１１＞Ｖｒ１３，Ｖ１２＞Ｖｒ１４）、電流経路Ｉ１３上には、電圧Ｖ１１と第１ツェナー電圧Ｖｒ１３との差分電圧に基づく電流が流れ、電流経路Ｉ１４上には、電圧Ｖ１２と第２ツェナー電圧Ｖｒ１４との差分電圧に基づく電流が流れる。一方、各内部抵抗Ｒ１１ａ，Ｒ１２ａ上には電流が流れず、第１及び第２平滑コンデンサＣ１１，Ｃ１２は電圧のバランスが保たれた状態を採る（図６）。
【０１００】
しかし、内部抵抗Ｒ１１ａ，Ｒ１２ａにバラツキがあると、各平滑コンデンサＣ１１，Ｃ１２に印加される電圧Ｖ１１，Ｖ１２の間に大小関係が生じ、第１及び第２平滑コンデンサＣ１１，Ｃ１２の電圧のバランスは崩れた状態を採ることとなる。当該大小関係に基づき、電圧平滑回路１１４は、以下のいずれかの動作を採る。
【０１０１】
（２−１）第１平滑コンデンサＣ１１の両端電圧Ｖ１１が、第２平滑コンデンサＣ１２の両端電圧Ｖ１２よりも大きい場合（Ｖ１１＞Ｖ１２）
仮に、両端電圧Ｖ１１が３８０Ｖ、両端電圧Ｖ１２が３３８Ｖであるとする。各両端電圧Ｖ１１，Ｖ１２は第１ツェナー電圧Ｖｒ１３，Ｖｒ１４以上であるため、第１及び第２ツェナーダイオードＲＺ１３，ＲＺ１４は共に動作し、第１ツェナーダイオードＲＺ１３，ＲＺ１４の両端電圧は第１ツェナー電圧Ｖｒ１３にクランプされ、第２ツェナーダイオードＲＺ１４の両端電圧は第２ツェナー電圧Ｖｒ１４にクランプされる。すると、電流経路Ｉ１３上には、第１バランス抵抗Ｒ１３及び第１ツェナーダイオードＲＺ１３の順に電流が流れ、電流経路Ｉ１４上には、第２バランス抵抗Ｒ１４から第２ツェナーダイオードＲＺ１４の順に電流が流れる（図７）。
【０１０２】
また、各バランス抵抗Ｒ１３，Ｒ１４にかかる電圧は、それぞれ両端電圧Ｖ１１，Ｖ１２と各ツェナー電圧Ｖｒ１３，Ｖｒ１４との差分電圧となる（Ｖ１１−Ｖｒ１３，Ｖ１２−Ｖｒ１４）。ここでは、両端電圧Ｖ１１が両端電圧Ｖ１２よりも大きいため（Ｖ１１＞Ｖ１２）、第１バランス抵抗Ｒ１３にかかる電圧は第２バランス抵抗Ｒ１４にかかる電圧よりも大きい。よって、第１バランス抵抗Ｒ１３を流れる電流（つまり、電流経路Ｉ１３上を流れる電流）は、第２バランス抵抗Ｒ１４を流れる電流（つまり、電流経路Ｉ１４上を流れる電流）よりも多くなる。つまりは、電流経路Ｉ１３上を流れる電流は、接続点Ｓ１を介して電流経路Ｉ１４上及び第２平滑コンデンサＣ１２の内部抵抗Ｒ１２ａ上に分岐して流れる。即ち、第１平滑コンデンサＣ１１の内部抵抗Ｒ１１ａには電流が流れないが、第２平滑コンデンサＣ１２の内部抵抗Ｒ１２ａには、電流経路Ｉ１３上を流れる電流と電流経路Ｉ１４上を流れる電流との差分電流が流れる。このようにして内部抵抗Ｒ１２ａに電流が流れ込むことにより、第２平滑コンデンサＣ１２の両端に印加される電圧Ｖ１２が大きくなる。電圧Ｖ１１は“Ｖｄｃ−Ｖ１２”と表されるので、電圧Ｖ１２が大きくなるにつれて小さくなっていく。
【０１０３】
上記動作により、やがて両端電圧Ｖ１１，Ｖ１２はほぼ等しくなり、各電流経路Ｉ１３、電流経路Ｉ４上には各両端電圧Ｖ１１，Ｖ１２と各ツェナー電圧Ｖｒ１３，Ｖｒ１４との差分に基づく電流が流れるものの、第２平滑コンデンサＣ１２の内部抵抗Ｒ１２ａには電流が流れなくなる（図６）。このように、電圧平滑回路１１４は、上記動作により、両端電圧Ｖ１１が両端電圧Ｖ１２よりも大きい場合には、第１平滑コンデンサＣ１１の両端電圧Ｖ１１を小さくして第２平滑コンデンサＣ１２の両端電圧Ｖ１２を大きくするように働くため、両端電圧Ｖ１１，Ｖ１２のバランスが保たれた状態となり、第１平滑コンデンサＣ１１への過剰な電圧印加を回避することができる。
【０１０４】
（２−２）第１平滑コンデンサＣ１１の両端電圧Ｖ１１が、第２平滑コンデンサＣ１２の両端電圧Ｖ１２よりも小さい場合（Ｖ１１＜Ｖ１２）
仮に、両端電圧Ｖ１１が３３８Ｖ、両端電圧Ｖ１２が３８０Ｖであるとする。各両端電圧Ｖ１１，Ｖ１２は第１ツェナー電圧Ｖｒ１３，Ｖｒ１４以上であるため、第１及び第２ツェナーダイオードＲＺ１３，ＲＺ１４は共に動作し、第１ツェナーダイオードＲＺ１３，ＲＺ１４の両端電圧は第１ツェナー電圧Ｖｒ１３にクランプされ、第２ツェナーダイオードＲＺ１４の両端電圧は第２ツェナー電圧Ｖｒ１４にクランプされる。すると電流経路Ｉ１３上には、第１バランス抵抗Ｒ１３及び第１ツェナーダイオードＲＺ１３の順に電流が流れ、電流経路Ｉ１４上には、第２バランス抵抗Ｒ１４から第２ツェナーダイオードＲＺ１４の順に電流が流れる（図８）。
【０１０５】
また、各バランス抵抗Ｒ１３，Ｒ１４にかかる電圧は、それぞれ両端電圧Ｖ１１，Ｖ１２と各ツェナー電圧Ｖｒ１３，Ｖｒ１４との差分電圧となる（Ｖ１１−Ｖｒ１３，Ｖ１２−Ｖｒ１４）。ここで、両端電圧Ｖ１２が両端電圧Ｖ１１よりも大きいため（Ｖ１１＜Ｖ１２）、第２バランス抵抗Ｒ１４にかかる電圧は第１バランス抵抗Ｒ１３にかかる電圧よりも大きい。よって、上記（２−１）とは逆に、第２バランス抵抗Ｒ１４を流れる電流（つまり、電流経路Ｉ１４上を流れる電流）は、第１バランス抵抗Ｒ１３を流れる電流（つまり、電流経路Ｉ１３上を流れる電流）よりも多くなる。つまりは、電源部１３から流れてきた電流は、第１平滑コンデンサＣ１１の内部抵抗Ｒ１１ａ側と電流経路Ｉ１３側とに分岐して流れ、その後接続点Ｓ１を介して電流経路Ｉ１４で合流する。即ち、第２平滑コンデンサＣ１２の内部抵抗Ｒ１２ａには電流が流れないが、第１平滑コンデンサＣ１１の内部抵抗Ｒ１１ａには、電流経路Ｉ１４上を流れる電流と電流経路Ｉ１３上を流れる電流との差分電流が流れる。このようにして内部抵抗Ｒ１１ａに電流が流れ込むことにより、第１平滑コンデンサＣ１１の両端に印加される電圧Ｖ１１が大きくなる。電圧Ｖ１２は“Ｖｄｃ−Ｖ１１”と表されるので、電圧Ｖ１１が大きくなるにつれて小さくなっていく。
【０１０６】
上記動作により、やがて両端電圧Ｖ１１，Ｖ１２はほぼ等しくなり、電流経路Ｉ１３、電流経路Ｉ４上には各両端電圧Ｖ１１，Ｖ１２と各ツェナー電圧Ｖｒ１３，Ｖｒ１４との差分に基づく電流が流れるものの、第１平滑コンデンサＣ１１の内部抵抗Ｒ１１ａには電流が流れなくなる（図６）。このように、電圧平滑回路１１４は、上記動作により、両端電圧Ｖ１２が両端電圧Ｖ１１よりも大きい場合には、第２平滑コンデンサＣ１２の両端電圧Ｖ１２を小さくして第１平滑コンデンサＣ１１の両端電圧Ｖ１１を大きくするように働くため、両端電圧Ｖ１１，Ｖ１２のバランスが保たれた状態となり、第２平滑コンデンサＣ１２への過剰な電圧印加を回避することができる。
【０１０７】
（３）効果
（Ａ）
本実施形態に係る電圧平滑回路１１４によると、第１ツェナーダイオードＲＺ１３に第１ツェナー電圧Ｖｒ１３以上の電圧が印加されると共に、第２ツェナーダイオードＲＺ１４にも第２ツェナー電圧Ｖｒ１４以上の電圧が印加されるため、第１ツェナーダイオードＲＺ１３及び第２ツェナーダイオードＲＺ１４の双方、つまりは第１バランス抵抗Ｒ１３及び第２バランス抵抗Ｒ１４の双方に電流が流れるようになる。
【０１０８】
尚、本実施形態では、第１実施形態に比してツェナー電圧の低いものを第１ツェナーダイオードＲＺ１３及び第２ツェナーダイオードＲＺ１４として利用することで、上記動作を実現している。そのため、本実施形態に係る電圧平滑回路１１４は、通電規制部であるツェナーダイオードの作動電圧や定格電力を低く設定したい場合に、特に有効な方法と言える。
【０１０９】
（Ｂ）
また、本実施形態に係る電圧平滑回路１１４によると、第１ツェナーダイオードＲＺ１３には、第１ツェナー電圧Ｖｒ１３以上の電圧が印加されることで電流が流れ、第２ツェナーダイオードＲＺ１４には、第２ツェナー電圧Ｖｒ１４以上の電圧が印加されることで電流が流れる。第１ツェナーダイオードＲＺ１３及び第２ツェナーダイオードＲＺ１４における各電圧は、それぞれ第１ツェナー電圧Ｖｒ１３及び第２ツェナー電圧Ｖｒ１４にクランプされる。そのため、第１バランス抵抗Ｒ１３には、第１平滑コンデンサＣ１１の両端電圧と第１ツェナー電圧Ｖｒ１３との差分電圧が印加され、第２バランス抵抗Ｒ１４には、第２平滑コンデンサＣ１２の両端電圧と第２ツェナー電圧Ｖｒ１４との差分電圧が印加される。従って、簡易な構成で第１及び第２バランス抵抗Ｒ１３，Ｒ１４に流れる電流の値を従来よりも小さくすることができ、第１及び第２バランス抵抗Ｒ１３，Ｒ１４における発熱量を軽減することができるため、各バランス抵抗Ｒ１３，Ｒ１４付近の電子部品への影響を抑えることができる。
【０１１０】
従って、簡易な構成で、各平滑コンデンサＣ１，Ｃ２に印加される電圧のバランスを保つことができる。また、第１バランス抵抗Ｒ１３及び第２バランス抵抗Ｒ１４としては、寸法の比較的小さいもの（例えばチップ抵抗）を利用することができる。第１及び第２バランス抵抗Ｒ１３，Ｒ１４が実装されるプリント基板において、第１及び第２バランス抵抗Ｒ１３，Ｒ１４の占める面積が小さくなるため、プリント基板を小さくすることができる。
【０１１１】
（Ｃ）
また、本実施形態に係る電圧平滑回路１１４では、第１ツェナー電圧Ｖｒ１３及び第２ツェナー電圧Ｖｒ１４は、第１平滑コンデンサＣ１１及び第２平滑コンデンサＣ１２の定格電圧以下である。これにより、各第１及び第２平滑コンデンサＣ１１，Ｃ１２には、第１ツェナー電圧Ｖｒ１３及び第２ツェナー電圧Ｖｒ１４の値よりも大きい電圧がそれぞれ印加される。
【０１１２】
（Ｄ）
また、本実施形態に係る電圧平滑回路１１４によると、第１バランス抵抗Ｒ１３は、第１平滑コンデンサＣ１１の内部抵抗Ｒ１１ａの値よりも小さい抵抗値を有し、第２バランス抵抗Ｒ１４は、第２平滑コンデンサＣ１２の内部抵抗Ｒ１２ａの値よりも小さい抵抗値を有する。これにより、第１平滑コンデンサＣ１１及び第２平滑コンデンサＣ１２の各内部抵抗Ｒ１１ａ，Ｒ１２ａに流れる電流量よりも、第１バランス抵抗Ｒ１３及び第２バランス抵抗Ｒ１４に流れる電流量の方が多くなるため、第１平滑コンデンサＣ１１及び第２平滑コンデンサＣ１２に流れる電流量を抑えることができる。従って、第１平滑コンデンサＣ１１及び第２平滑コンデンサＣ１２に印加される電圧を低くすることができる。
【０１１３】
（４）変形例
（ａ）
本実施形態に係る電圧平滑回路は、第１実施形態に係る電圧平滑回路１４’（図５）と同様、図９に示すような構成であってもよい。図９の電圧平滑回路１１４’は、図６〜８で説明した電圧平滑回路１１４の構成に加え、更に第１補助抵抗Ｒ１３１及び第２補助抵抗Ｒ１３２を備えている。第１補助抵抗Ｒ１３１は、第１ツェナーダイオードＲＺ１３の両端に並列に接続されている。第２補助抵抗Ｒ１３２は、第２ツェナーダイオードＲＺ１４の両端に並列に接続されている。
【０１１４】
図９に係る電圧平滑回路１１４’によると、各ツェナーダイオードＲＺ１３，ＲＺ１４が動作する場合には、第１バランス抵抗Ｒ１３を流れる電流は、第１ツェナーダイオードＲＺ１３及び第１補助抵抗Ｒ１３１に分岐して流れ、第２バランス抵抗Ｒ１４を流れる電流は、第２ツェナーダイオードＲＺ１４及び第２補助抵抗Ｒ１３２に分岐して流れる。これにより、第１ツェナーダイオードＲＺ１３及び第２ツェナーダイオードＲＺ１４それぞれに流れる電流量は、電圧平滑回路１１４に比して小さくなるため、第１ツェナーダイオードＲＺ１３及び第２ツェナーダイオードＲＺ１４の作動電圧や定格電力を低く設定することができ、第１ツェナーダイオードＲＺ１３及び第２ツェナーダイオードＲＺ１４としては、定格電流の比較的小さいものを用いることができる。従って、電圧平滑回路１１４’に係るコストの低減化（特に、第１ツェナーダイオードＲＺ１３及び第２ツェナーダイオードＲＺ１４のコスト削減）を図ることができる。
【０１１５】
また、第１補助抵抗Ｒ１３１及び第２補助抵抗Ｒ１３２は、モータ駆動装置１の電源遮断時には第１平滑コンデンサＣ１１及び第２平滑コンデンサＣ１２の放電回路として機能することもできる。従って、第１平滑コンデンサＣ１１及び第２平滑コンデンサＣ１２の放電回路を別途設ける必要がない。
【０１１６】
尚、電圧平滑回路１１４’は、第１補助抵抗Ｒ１３１及び第２補助抵抗Ｒ１３２を除き、図６〜８と同様の構成を有しているため、図９においては、第１補助抵抗Ｒ１３１及び第２補助抵抗Ｒ１３２を除いては図６〜８と同じ符号を付している。
【０１１７】
（ｂ）
本実施形態の「（２）動作」では、各内部抵抗Ｒ１１ａ，Ｒ１２ａにバラツキがあり、各両端電圧Ｖ１１，Ｖ１２に大小関係が生じたとしても、電流経路Ｉ１３，Ｉ１４双方に電流が流れる場合について説明した。しかし、図６〜８に係る電圧平滑回路１１４においては、内部抵抗Ｒ１１ａ，Ｒ１２ａのバラツキが非常に大きく、両端電圧Ｖ１１，Ｖ１２の差が大きい場合には、いずれか一方の両端電圧Ｖ１１，Ｖ１２が第１ツェナー電圧Ｖｒ１３または第２ツェナー電圧Ｖｒ１４以下となってしまうことが考えられる。この場合、先ずはツェナー電圧Ｖｒ１３，Ｖｒ１４以上の電圧が印加されているいずれか一方のツェナーダイオードＲＺ１３，ＲＺ１４のみが動作し、やがて両端電圧Ｖ１１，Ｖ１２の差が小さくなった時に、他方のツェナーダイオードにもツェナー電圧以上の電圧が印加されることとなり、動作していなかったツェナーダイオードも動作する。その後は、本実施形態の「（２）動作」と同様となる。即ち、この場合の電圧平滑回路１１４は、以下の第１状態及び第２状態のいずれかを採り得る。
第１状態：第１ツェナーダイオードＲＺ１３に第１ツェナー電圧Ｖｒ１３以上の電圧が印加された後に、第２ツェナーダイオードＲＺ１４にも第２ツェナー電圧Ｖｒ１４以上の電圧が印加される状態
第２状態：第２ツェナーダイオードＲＺ１４に第２ツェナー電圧Ｖｒ１４以上の電圧が印加された後に、第１ツェナーダイオードＲＺ１３にも第１ツェナー電圧Ｖｒ１３以上の電圧が印加される状態
【０１１８】
上記第１状態の具体例を説明するため、仮に各ツェナー電圧が“２４０Ｖ”、電源部１３の電圧Ｖｄｃが“７１８Ｖ”であって、両端電圧Ｖ１１が“５００Ｖ”、両端電圧Ｖ１２が“２１８Ｖ”であるとする。この場合、先ずは第１ツェナーダイオードＲＺ１３のみが動作し、第１実施形態に係る図３のように内部抵抗Ｒ１２ａに電流が流れ込む。すると、両端電圧Ｖ１２が徐々に大きくなるため、両端電圧Ｖ１２の電圧が２４０Ｖ以上となることで、それまで動作していなかった第２ツェナーダイオードＲＺ１４も動作をし始める。これにより、本実施形態に係る図７に示すように電流が流れるようになり、やがて両端電圧Ｖ１１，Ｖ１２のバランスは保たれた状態となる。
【０１１９】
また、第２状態の具体例を説明するため、仮に両端電圧Ｖ１１が“２１８Ｖ”、両端電圧Ｖ１２が“５００Ｖ”であるとする。この場合、先ずは第２ツェナーダイオードＲＺ１４のみが動作し、第１実施形態に係る図４のように内部抵抗Ｒ１１ａに電流が流れる。すると、両端電圧Ｖ１１が徐々に大きくなるため、両端電圧Ｖ１１の電圧が２４０Ｖ以上となることで、それまで動作していなかった第１ツェナーダイオードＲＺ１３も動作をし始める。これにより、本実施形態に係る図８に示すように電流が流れるようになり、やがて両端電圧Ｖ１１，Ｖ１２のバランスは保たれた状態となる。
【０１２０】
（ｃ）
本実施形態では、図６〜８に示すように、第１ツェナーダイオードＲＺ１３及び第２ツェナーダイオードＲＺ１４が共に１つずつ設けられており、第１ツェナー電圧Ｖｒ１３及び第２ツェナー電圧Ｖｒ１４それぞれが３６０Ｖである場合について説明した。しかし、第１ツェナーダイオードＲＺ１３及び第２ツェナーダイオードＲＺ１４は、複数個のツェナーダイオードが直列に接続されることで構成されてもよい。
【０１２１】
（ｄ）
本実施形態では、図６〜８に示すように、電流経路Ｉ１３上においては、電圧の高い側から順に第１バランス抵抗Ｒ１３及び第１ツェナーダイオードＲＺ１３の順で接続され、電流経路Ｉ１４上においては、第２バランス抵抗Ｒ１４及び第２ツェナーダイオードＲＺ１４の順で接続されている場合について説明した。しかし、各電流経路Ｉ１３，Ｉ１４上の素子の接続順は、上記順番に限定されない。
【０１２２】
（ｅ）
本実施形態では、所定電圧以上の電圧が印加された場合に、第１バランス抵抗Ｒ１３または第２バランス抵抗Ｒ１４に一方向に電流を流す第１通電規制部及び第２通電規制部が、それぞれ第１ツェナーダイオードＲＺ１３及び第２ツェナーダイオードＲＺ１４で構成されている場合について説明した。しかし、第１通電規制部及び第２通電規制部は、所定電圧以上の電圧が印加された場合に第１または第２バランス抵抗Ｒ１３，Ｒ１４に一方向に電流を流すことができるものであればどのようなものであってもよく、ツェナーダイオード以外で構成されていてもよい。
【産業上の利用可能性】
【０１２３】
本発明に係る電圧平滑回路は、簡易な構成で、各平滑コンデンサに印加される電圧のバランスを保つことができるという効果を有する。この電圧平滑回路は、モータ駆動用のモータ駆動装置において、インバータ部に供給される電源電圧の平滑用回路として利用できる。
【符号の説明】
【０１２４】
１  モータ駆動装置
１３  電源部
１４，１１４  電圧平滑回路
１５  インバータ部
Ｃ１，Ｃ１１  第１平滑コンデンサ
Ｃ１ａ，Ｃ１１ａ  容量成分
Ｒ１ａ，Ｒ１１ａ  内部抵抗（抵抗成分）
Ｃ２，Ｃ１２  第２平滑コンデンサ
Ｃ２ａ，Ｃ１２ａ  容量成分
Ｒ２ａ，Ｒ１２ａ  内部抵抗（抵抗成分）
Ｒ３，Ｒ１３  第１バランス抵抗
Ｒ４，Ｒ１４  第２バランス抵抗
ＲＺ３，ＲＺ１３  第１ツェナーダイオード
ＲＺ４，ＲＺ１４  第２ツェナーダイオード
Ｒ３１，Ｒ１３１  第１補助抵抗
Ｒ３２，Ｒ１３２  第２補助抵抗
【先行技術文献】
【特許文献】
【０１２５】
【特許文献１】特開２００３−８８１４４号公報
【特許文献２】特開平１−１６９５１６号公報
【図１】
2011041367.tif 000003
【図２】
2011041367.tif 000004
【図３】
2011041367.tif 000005
【図４】
2011041367.tif 000006
【図５】
2011041367.tif 000007
【図６】
2011041367.tif 000008
【図７】
2011041367.tif 000009
【図８】
2011041367.tif 000010
【図９】
2011041367.tif 000011
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
電源部（１３）から出力された電圧を平滑する電圧平滑回路であって、
互いに直列に接続されていると共に、前記電源部に対して並列に接続された第１平滑コンデンサ（Ｃ１）及び第２平滑コンデンサ（Ｃ２）と、
前記第１平滑コンデンサ（Ｃ１）に並列に接続された第１バランス抵抗（Ｒ３）と、
前記第２平滑コンデンサ（Ｃ２）に並列に接続された第２バランス抵抗（Ｒ４）と、
前記第１バランス抵抗（Ｒ３）に直列に接続されており、第１所定電圧以上の電圧が印加された場合、前記第１バランス抵抗（Ｒ３）に一方向に電流を流す第１通電規制部（ＲＺ３）と、
前記第２バランス抵抗（Ｒ４）に直列に接続されており、第２所定電圧以上の電圧が印加された場合、前記第２バランス抵抗（Ｒ４）に一方向に電流を流す第２通電規制部（ＲＺ４）と、
を備え、
前記第１通電規制部（ＲＺ３）に前記第１所定電圧以上の電圧が印加された場合、前記第２通電規制部（ＲＺ４）には前記第２所定電圧以上の電圧が印加されず、
前記第２通電規制部（ＲＺ４）に前記第２所定電圧以上の電圧が印加された場合、前記第１通電規制部（ＲＺ３）には前記第１所定電圧以上の電圧が印加されない、
電圧平滑回路（１４）。
【請求項２】
前記第１通電規制部（ＲＺ３）の両端に並列に接続された第１補助抵抗（Ｒ３１）と、
前記第２通電規制部（ＲＺ４）の両端に並列に接続された第２補助抵抗（Ｒ３２）と、
を更に備える、
請求項１に記載の電圧平滑回路（１４'）。
【請求項３】
前記第１通電規制部（ＲＺ３）は第１ツェナーダイオードで構成され、
前記第２通電規制部（ＲＺ４）は第２ツェナーダイオードで構成され、
前記第１所定電圧及び第２所定電圧は、前記電源部（１３）が出力する電圧の値に基づいて、前記第１ツェナーダイオード及び前記第２ツェナーダイオードのいずれか一方にのみ電流が流れるように決定されている、
請求項１または２に記載の電圧平滑回路（１４）。
【請求項４】
前記第１所定電圧及び前記第２所定電圧は、前記第１平滑コンデンサ（Ｃ１）及び前記第２平滑コンデンサ（Ｃ２）の定格電圧以下である、
請求項３に記載の電圧平滑回路（１４）。
【請求項５】
前記第１バランス抵抗（Ｒ３）は、前記第１平滑コンデンサ（Ｃ１）の内部抵抗の値よりも小さい抵抗値を有し、
前記第２バランス抵抗（Ｒ４）は、前記第２平滑コンデンサ（Ｃ２）の内部抵抗の値よりも小さい抵抗値を有する、
請求項１〜４のいずれかに記載の電圧平滑回路（１４）。
【請求項６】
電源部（１３）から出力された電圧を平滑する電圧平滑回路であって、
互いに直列に接続されていると共に、前記電源部に対して並列に接続された第１平滑コンデンサ（Ｃ１１）及び第２平滑コンデンサ（Ｃ１２）と、
前記第１平滑コンデンサ（Ｃ１１）に並列に接続された第１バランス抵抗（Ｒ１３）と、
前記第２平滑コンデンサ（Ｃ１２）に並列に接続された第２バランス抵抗（Ｒ１４）と、
前記第１バランス抵抗（Ｒ１３）に直列に接続されており、第１所定電圧以上の電圧が印加された場合、前記第１バランス抵抗（Ｒ１３）に一方向に電流を流す第１通電規制部（ＲＺ１３）と、
前記第２バランス抵抗（Ｒ１４）に直列に接続されており、第２所定電圧以上の電圧が印加された場合、前記第２バランス抵抗（Ｒ１４）に一方向に電流を流す第２通電規制部（ＲＺ１４）と、
を備え、
前記第１通電規制部（ＲＺ１３）に前記第１所定電圧以上の電圧が印加されると共に、前記第２通電規制部（ＲＺ１４）にも前記第２所定電圧以上の電圧が印加される、
電圧平滑回路（１１４）。
【請求項７】
前記第１通電規制部（ＲＺ１３）に前記第１所定電圧以上の電圧が印加された後に前記第２通電規制部（ＲＺ１４）にも前記第２所定電圧以上の電圧が印加される第１状態、及び
前記第２通電規制部（ＲＺ１４）に前記第２所定電圧以上の電圧が印加された後に前記第１通電規制部（ＲＺ１４）にも前記第１所定電圧以上の電圧が印加される第２状態、
のいずれかを採り得る、
請求項６に記載の電圧平滑回路（１１４）。
【請求項８】
前記第１通電規制部（ＲＺ１３）は第１ツェナーダイオードで構成され、
前記第２通電規制部（ＲＺ１４）は第２ツェナーダイオードで構成される、
請求項６または７に記載の電圧平滑回路（１１４）。
【請求項９】
前記第１所定電圧及び前記第２所定電圧は、前記第１平滑コンデンサ（Ｃ１１）及び前記第２平滑コンデンサ（Ｃ１２）の定格電圧以下である、
請求項８に記載の電圧平滑回路（１１４）。
【請求項１０】
前記第１バランス抵抗（Ｒ１３）は、前記第１平滑コンデンサ（Ｃ１１）の内部抵抗の値よりも小さい抵抗値を有し、
前記第２バランス抵抗（Ｒ１４）は、前記第２平滑コンデンサ（Ｃ１２）の内部抵抗の値よりも小さい抵抗値を有する、
請求項６〜９のいずれかに記載の電圧平滑回路（１１４）。
【請求項１１】
前記第１通電規制部（ＲＺ１３）の両端に並列に接続された第１補助抵抗（Ｒ１３１）と、
前記第２通電規制部（ＲＺ１４）の両端に並列に接続された第２補助抵抗（Ｒ１３２）と、
を更に備える、
請求項６〜１０のいずれかに記載の電圧平滑回路（１１４'）。
【手続補正２】
【補正対象書類名】明細書
【補正対象項目名】全文
【補正方法】変更
【補正の内容】
【発明の詳細な説明】
【技術分野】
【０００１】
本発明は、電圧平滑回路に関する。
【背景技術】
【０００２】
モータを駆動するためのモータ駆動装置は、モータの駆動電圧をインバータ部で生成し、モータに出力している。一般的に、このインバータ部には、電源から出力される交流電圧が平滑された後に供給されている。
【０００３】
電源からの電圧を平滑する手法としては、例えば特許文献１（特開２００３−８８１４４号公報）に開示されているように、電源に対し並列に接続された平滑コンデンサを利用する手法が良く用いられている。具体的に、特許文献１に係る手法では、２つの平滑コンデンサが互いに直列に接続されると共に、電源に対し並列に接続されている。更に、平滑コンデンサの内部抵抗よりも抵抗値の小さいバランス抵抗が、各平滑コンデンサに並列に接続されている。バランス抵抗は、各平滑コンデンサに印加される電圧がコンデンサの定格電圧内となるように、各平滑コンデンサに印加される電圧のバランスを保つための抵抗である。
【０００４】
また、上記特許文献１以外で各平滑コンデンサの電圧のバランスを保つための手法としては、特許文献２（特開平１−１６９５１６号公報）に開示されているものがある。
【発明の概要】
【発明が解決しようとする課題】
【０００５】
特許文献１に係る手法では、バランス抵抗には比較的大きな電流が常時流れることとなるため、当該電流に耐えられる仕様の抵抗をバランス抵抗として用いる必要が生じる。しかしながら、このような抵抗は、例えばセメント抵抗のように寸法が比較的大きいものが主流となっているため、バランス抵抗等が実装されるプリント基板の大きさは必然的に大きくなってしまう。また、特許文献１に係る手法では、バランス抵抗に常時大きな電流が流れるためにバランス抵抗の発熱量も大きく、バランス抵抗付近の電子部品に悪影響を及ぼす恐れがある。
【０００６】
また、特許文献２では、オペアンプ等を用いてバランス抵抗に流れる電流量を増減させることで、特許文献１に比してバランス抵抗に流れる電流量を軽減されている。しかしながら、この手法では、平滑コンデンサの電圧のバランスを保つための回路を構成する素子数が多く、当該回路も複雑である。
【０００７】
そこで、本発明は、簡易な構成で平滑コンデンサに印加される電圧のバランスを保つことができる電圧平滑回路の提供を目的とする。
【課題を解決するための手段】
【０００８】
発明１に係る電圧平滑回路は、電源部から出力された電圧を平滑する回路である。電圧平滑回路は、第１平滑コンデンサ、第２平滑コンデンサ、第１バランス抵抗、第２バランス抵抗、第１通電規制部及び第２通電規制部を備える。第１平滑コンデンサ及び第２平滑コンデンサは、互いに直列に接続されていると共に、電源部に対して並列に接続されている。第１バランス抵抗は、第１平滑コンデンサに並列に接続されている。第２バランス抵抗は、第２平滑コンデンサに並列に接続されている。第１通電規制部は、第１バランス抵抗に直列に接続されており、第１所定電圧以上の電圧が印加された場合、第１バランス抵抗に一方向に電流を流す。第２通電規制部は、第２バランス抵抗に直列に接続されており、第２所定電圧以上の電圧が印加された場合、第２バランス抵抗に一方向に電流を流す。そして、第１通電規制部に第１所定電圧以上の電圧が印加された場合、第２通電規制部には第２所定電圧以上の電圧が印加されない。第２通電規制部に第２所定電圧以上の電圧が印加された場合、第１通電規制部には第１所定電圧以上の電圧が印加されない。
【０００９】
この電圧平滑回路では、第１通電規制部に第１所定電圧以上の電圧が印加された場合には、第１バランス抵抗に電流が流れ、この電流は、例えば第２バランス抵抗に流れることなく第２平滑コンデンサに流れる。第２通電規制部に第２所定電圧以上の電圧が印加された場合には、第２バランス抵抗に電流が流れることによって、例えば第１平滑コンデンサにも電流が流れる。第１平滑コンデンサに電流が流れた場合には、第１平滑コンデンサの両端の電圧が上がり、第２平滑コンデンサに電流が流れた場合には、第２平滑コンデンサの両端の電圧が上がるため、簡易な構成で、各平滑コンデンサに印加される電圧のバランスを保つことができる。
【００１０】
特に、この電圧平滑回路では、第１通電規制部に第１所定電圧以上の電圧が印加された場合には、第１バランス抵抗を流れた電流は、第２バランス抵抗に流れることなく第２平滑コンデンサに流れる。第２通電規制部に第２所定電圧以上の電圧が印加された場合には、第２バランス抵抗に電流が流れることによって第１平滑コンデンサにも電流が流れるが、第１バランス抵抗には電流が流れない。つまり、上記電圧平滑回路では、第１通電規制部及び第２通電規制部のいずれか一方にのみ第１所定電圧以上または第２所定電圧以上の電圧が印加されるため、第１及び第２バランス抵抗の両方に常時電流が流れることがない。そのため、第１及び第２バランス抵抗としては、寸法の比較的小さいものを利用することができると共に、第１及び第２バランス抵抗における発熱量を軽減することができる。従って、第１及び第２バランス抵抗が実装されているプリント基板を小さくすることができる。
【００１１】
発明２に係る電圧平滑回路は、発明１に係る電圧平滑回路であって、第１補助抵抗と、第２補助抵抗とを更に備える。第１補助抵抗は、第１通電規制部の両端に並列に接続されている。第２補助抵抗は、第２通電規制部の両端に並列に接続されている。
【００１２】
第１バランス抵抗を含む電流経路上を流れる電流は、第１通電規制部及び第１補助抵抗に分岐して流れ、第２バランス抵抗を含む電流経路上を流れる電流は、第２通電規制部及び第２補助抵抗に分岐して流れる。これにより、第１及び第２通電規制部それぞれに流れる電流量は小さくなるため、第１及び第２通電規制部の作動電圧や定格電力を低く設定でき、第１及び第２通電規制部としては、定格電流の比較的小さいものを用いることができる。従って、電圧平滑回路に係るコストの低減化（特に、第１及び第２通電規制部のコスト削減）を図ることができる。
【００１３】
発明３に係る電圧平滑回路は、発明１または２に係る電圧平滑回路であって、第１通電規制部は、第１ツェナーダイオードで構成される。第２通電規制部は、第２ツェナーダイオードで構成される。第１所定電圧及び第２所定電圧は、電源部が出力する電圧の値に基づいて、第１ツェナーダイオード及び第２ツェナーダイオードのいずれか一方にのみ電流が流れるように決定されている。
【００１４】
例えば、電源部が出力する電圧の値が"７１８Ｖ"であるとした場合、各ツェナーダイオードのツェナー電圧である第１所定電圧及び第２所定電圧は、共に"３６０Ｖ"と決定される。これにより、第１ツェナーダイオード及び第２ツェナーダイオードのいずれか一方にのみ電流が流れるようになるため、簡易な構成で第１及び第２バランス抵抗における発熱量を軽減することができる。
【００１５】
発明４に係る電圧平滑回路は、発明３に係る電圧平滑回路であって、第１所定電圧及び第２所定電圧は、第１平滑コンデンサ及び第２平滑コンデンサの定格電圧以下である。
【００１６】
これにより、第１及び第２平滑コンデンサには、ツェナー電圧である第１所定電圧及び第２所定電圧の値よりも大きい電圧が印加される。
【００１７】
発明５に係る電圧平滑回路は、発明１〜４のいずれかに係る電圧平滑回路であって、第１バランス抵抗は、第１平滑コンデンサの内部抵抗の値よりも小さい抵抗値を有する。第２バランス抵抗は、第２平滑コンデンサの内部抵抗の値よりも小さい抵抗値を有する。
【００１８】
これにより、第１平滑コンデンサ及び第２平滑コンデンサの各内部抵抗に流れる電流量よりも、第１バランス抵抗及び第２バランス抵抗に流れる電流量の方が多くなるため、第１平滑コンデンサ及び第２平滑コンデンサに流れる電流量を抑えることができる。従って、第１平滑コンデンサ及び第２平滑コンデンサに印加される電圧を低くすることができる。
【００１９】
発明６に係る電圧平滑回路は、電源部から出力された電圧を平滑する回路である。電圧平滑回路は、第１平滑コンデンサ、第２平滑コンデンサ、第１バランス抵抗、第２バランス抵抗、第１通電規制部及び第２通電規制部を備える。第１平滑コンデンサ及び第２平滑コンデンサは、互いに直列に接続されていると共に、電源部に対して並列に接続されている。第１バランス抵抗は、第１平滑コンデンサに並列に接続されている。第２バランス抵抗は、第２平滑コンデンサに並列に接続されている。第１通電規制部は、第１バランス抵抗に直列に接続されており、第１所定電圧以上の電圧が印加された場合、第１バランス抵抗に一方向に電流を流す。第２通電規制部は、第２バランス抵抗に直列に接続されており、第２所定電圧以上の電圧が印加された場合、第２バランス抵抗に一方向に電流を流す。そして、第１通電規制部に第１所定電圧以上の電圧が印加されると共に、第２通電規制部にも第２所定電圧以上の電圧が印加される。
【００２０】
この電圧平滑回路では、第１通電規制部に第１所定電圧以上の電圧が印加された場合には、第１バランス抵抗に電流が流れ、この電流は、例えば第２バランス抵抗に流れることなく第２平滑コンデンサに流れる。第２通電規制部に第２所定電圧以上の電圧が印加された場合には、第２バランス抵抗に電流が流れることによって、例えば第１平滑コンデンサにも電流が流れる。第１平滑コンデンサに電流が流れた場合には、第１平滑コンデンサの両端の電圧が上がり、第２平滑コンデンサに電流が流れた場合には、第２平滑コンデンサの両端の電圧が上がるため、簡易な構成で、各平滑コンデンサに印加される電圧のバランスを保つことができる。
【００２１】
特に、この電圧平滑回路によると、第１通電規制部に第１所定電圧以上の電圧が印加されると共に、第２通電規制部にも第２所定電圧以上の電圧が印加されるため、第１通電規制部及び第２通電規制部の双方に電流が流れるようになる。
【００２２】
発明７に係る電圧平滑回路は、発明６に係る電圧平滑回路であって、第１状態及び第２状態のいずれかを採り得る。第１状態は、第１通電規制部に第１所定電圧以上の電圧が印加された後に、第２通電規制部にも第２所定電圧以上の電圧が印加される状態である。第２状態は、第２通電規制部に第２所定電圧以上の電圧が印加された後に、第１通電規制部にも第１所定電圧以上の電圧が印加される状態である。
【００２３】
この電圧平滑回路によると、いずれか一方の通電規制部に所定電圧以上の電圧が印加され当該通電規制部が動作を開始することで、他方の通電規制部にも所定電圧以上の電圧が印加されて当該通電規制部も動作を開始するようになり、各平滑コンデンサに印加される電圧のバランスが保たれるようになる。
【００２４】
発明８に係る電圧平滑回路は、発明６または７に係る電圧平滑回路であって、第１通電規制部は、第１ツェナーダイオードで構成される。第２通電規制部は、第２ツェナーダイオードで構成される。
【００２５】
この電圧平滑回路によると、第１ツェナーダイオードには、ツェナー電圧である第１所定電圧以上の電圧が印加されることで電流が流れる。第２ツェナーダイオードには、ツェナー電圧である第２所定電圧以上の電圧が印加されることで電流が流れる。第１ツェナーダイオード及び第２ツェナーダイオードにおける各電圧は、それぞれ第１所定電圧及び第２所定電圧にクランプされる。そのため、第１バランス抵抗には、第１平滑コンデンサの両端電圧と第１所定電圧との差分電圧が印加され、第２バランス抵抗には、第２平滑コンデンサの両端電圧と第２所定電圧との差分電圧が印加される。従って、簡易な構成で第１及び第２バランス抵抗に流れる電流の値を従来よりも小さくすることができ、よって第１及び第２バランス抵抗における発熱量を軽減することができる。
【００２６】
発明９に係る電圧平滑回路は、発明８に係る電圧平滑回路であって、第１所定電圧及び第２所定電圧は、第１平滑コンデンサ及び第２平滑コンデンサの定格電圧以下である。
【００２７】
これにより、第１及び第２平滑コンデンサには、ツェナー電圧である第１所定電圧及び第２所定電圧の値よりも大きい電圧が印加される。
【００２８】
発明１０に係る電圧平滑回路は、発明６〜９のいずれかに係る電圧平滑回路であって、第１バランス抵抗は、第１平滑コンデンサの内部抵抗の値よりも小さい抵抗値を有する。第２バランス抵抗は、第２平滑コンデンサの内部抵抗の値よりも小さい抵抗値を有する。
【００２９】
これにより、第１平滑コンデンサ及び第２平滑コンデンサの各内部抵抗に流れる電流量よりも、第１バランス抵抗及び第２バランス抵抗に流れる電流量の方が多くなるため、第１平滑コンデンサ及び第２平滑コンデンサに流れる電流量を抑えることができる。従って、第１平滑コンデンサ及び第２平滑コンデンサに印加される電圧を低くすることができる。
【００３０】
発明１１に係る電圧平滑回路は、発明６〜１０のいずれかに係る電圧平滑回路であって、第１補助抵抗と、第２補助抵抗とを更に備える。第１補助抵抗は、第１通電規制部の両端に並列に接続されている。第２補助抵抗は、第２通電規制部の両端に並列に接続されている。
【００３１】
第１バランス抵抗を含む電流経路上を流れる電流は、第１通電規制部及び第１補助抵抗に分岐して流れ、第２バランス抵抗を含む電流経路上を流れる電流は、第２通電規制部及び第２補助抵抗に分岐して流れる。これにより、第１及び第２通電規制部それぞれに流れる電流量は小さくなるため、第１及び第２通電規制部の作動電圧や定格電力を低く設定でき、第１及び第２通電規制部としては、定格電流の比較的小さいものを用いることができる。従って、電圧平滑回路に係るコストの低減化（特に、第１及び第２通電規制部のコスト削減）を図ることができる。
【発明の効果】
【００３２】
発明１に係る電圧平滑回路によると、簡易な構成で、各平滑コンデンサに印加される電圧のバランスを保つことができる。特に、この電圧平滑回路によると、第１及び第２バランス抵抗の両方に常時電流が流れることがないため、第１及び第２バランス抵抗としては、寸法の比較的小さいものを利用することができると共に、第１及び第２バランス抵抗における発熱量を軽減することができる。従って、第１及び第２バランス抵抗が実装されているプリント基板を小さくすることができる。
【００３３】
発明２に係る電圧平滑回路によると、第１及び第２通電規制部の作動電圧や定格電力を低く設定でき、第１及び第２通電規制部としては、定格電流の比較的小さいものを用いることができる。従って、電圧平滑回路に係るコストの低減化（特に、第１及び第２通電規制部のコスト削減）を図ることができる。
【００３４】
発明３に係る電圧平滑回路によると、簡易な構成で第１及び第２バランス抵抗における発熱量を軽減することができる。
【００３５】
発明４に係る電圧平滑回路によると、第１及び第２平滑コンデンサには、ツェナー電圧である第１所定電圧及び第２所定電圧の値よりも大きい電圧が印加される。
【００３６】
発明５に係る電圧平滑回路によると、第１平滑コンデンサ及び第２平滑コンデンサに流れる電流量を抑えることができ、第１平滑コンデンサ及び第２平滑コンデンサに印加される電圧を低くすることができる。
【００３７】
発明６に係る電圧平滑回路によると、簡易な構成で、各平滑コンデンサに印加される電圧のバランスを保つことができる。特に、この電圧平滑回路によると、第１通電規制部及び第２通電規制部の双方に電流が流れるようになる。
【００３８】
発明７に係る電圧平滑回路によると、各平滑コンデンサに印加される電圧のバランスが保たれるようになる。
【００３９】
発明８に係る電圧平滑回路によると、簡易な構成で第１及び第２バランス抵抗に流れる電流の値を従来よりも小さくすることができ、よって第１及び第２バランス抵抗における発熱量を軽減することができる。
【００４０】
発明９に係る電圧平滑回路によると、第１及び第２平滑コンデンサには、ツェナー電圧である第１所定電圧及び第２所定電圧の値よりも大きい電圧が印加される。
【００４１】
発明１０に係る電圧平滑回路によると、第１平滑コンデンサ及び第２平滑コンデンサに流れる電流量を抑えることができ、第１平滑コンデンサ及び第２平滑コンデンサに印加される電圧を低くすることができる。
【００４２】
発明１１に係る電圧平滑回路によると、第１及び第２通電規制部の作動電圧や定格電力を低く設定でき、第１及び第２通電規制部としては、定格電流の比較的小さいものを用いることができる。従って、電圧平滑回路に係るコストの低減化（特に、第１及び第２通電規制部のコスト削減）を図ることができる。
【図面の簡単な説明】
【００４３】
【図１】第１実施形態に係る電圧平滑回路を備えたモータ駆動装置の構成図。
【図２】第１実施形態に係る電圧平滑回路の回路図。
【図３】第１実施形態において、第１平滑コンデンサの両端に第１ツェナー電圧以上の電圧が印加された場合に、電圧平滑回路に流れる電流の経路を示す図。
【図４】第１実施形態において、第２平滑コンデンサの両端に第２ツェナー電圧以上の電圧が印加された場合に、電圧平滑回路に流れる電流の経路を示す図。
【図５】第１実施形態の変形例（ａ）に係る電圧平滑回路の回路図。
【図６】第２実施形態において、第１平滑コンデンサの両端電圧が第２平滑コンデンサの両端電圧とバランスが保たれている場合に、電圧平滑回路に流れる電流の経路を示す図。
【図７】第２実施形態において、第１平滑コンデンサの両端電圧が第２平滑コンデンサの両端電圧よりも大きい場合に、電圧平滑回路に流れる電流の経路を示す図。
【図８】第２実施形態において、第１平滑コンデンサの両端電圧が第２平滑コンデンサの両端電圧よりも小さい場合に、電圧平滑回路に流れる電流の経路を示す図。
【図９】第２実施形態の変形例（ａ）に係る電圧平滑回路の回路図。
【発明を実施するための形態】
【００４４】
以下、本発明に係る電圧平滑回路について、図を用いて詳述する。
【００４５】
＜第１実施形態＞
（１）概要
図１は、本実施形態に係る電圧平滑回路１４を備えたモータ駆動装置１の構成図である。このモータ駆動装置１は、例えば空気調和装置の圧縮機の駆動源である圧縮機用モータ５２の駆動用として利用される。圧縮機用モータ５２の種類としては、例えば３相のブラシレスＤＣモータが挙げられる。
【００４６】
モータ駆動装置１は、主として、電源部１３、電圧平滑回路１４、インバータ部１５、及び電流検出部１６を備える。電源部１３は、ダイオードブリッジ１１及びリアクトル１２を有しており、ダイオードブリッジ１１、電圧平滑回路１４、インバータ部１５及び電流検出部１６は、１つのプリント基板Ｐ１上に構成されている。リアクトル１２は、プリント基板Ｐ１のインターフェースＩＦ４，ＩＦ５を介してプリント基板Ｐ１に外付けされている。
【００４７】
ダイオードブリッジ１１は、６つのダイオードＤ１ａ，Ｄ１ｂ，Ｄ１ｃ，Ｄ１ｄ，Ｄ１ｅ，Ｄ１ｆで構成されている。ダイオードＤ１ａ及びＤ１ｂ、Ｄ１ｃ及びＤ１ｄ，Ｄ１ｅ及びＤ１ｆは、それぞれ互いに直列に接続されると共に、これらは互いに並列となるように接続されている。直列接続されたダイオードＤ１ａ〜Ｄ１ｂ，Ｄ１ｃ〜Ｄ１ｄ，Ｄ１ｅ〜Ｄ１ｆの各接続点は、プリント基板Ｐ１上のインターフェースＩＦ１，ＩＦ２，ＩＦ３を介して３相の商用電源５１に接続されている。このようなダイオードブリッジ１１により、商用電源５１から出力された交流電圧は整流される。リアクトル１２は、ダイオードＤ１ａ，Ｄ１ｃ，Ｄ１ｅの各カソードが接続されている電源配線Ｌ１上に、直列に接続されている。このリアクトル１２により、ダイオードブリッジ１１によって整流された電圧は、更に直流電圧に近い波形を有するようになり、電圧平滑回路１４に印加される。尚、ダイオードＤ１ｂ，Ｄ１ｄ，Ｄ１ｆの各アノードは、ＧＮＤ配線Ｌ２に接続されている。
【００４８】
電圧平滑回路１４は、電源部１３から出力された電圧を平滑するための回路であって、電源部１３とインバータ部１５との間に配されている。電圧平滑回路１４の詳細については、後述する。
【００４９】
インバータ部１５は、絶縁ゲート型バイポーラトランジスタＱ５ａ，Ｑ５ｂ，Ｑ５ｃ，Ｑ５ｄ，Ｑ５ｅ，Ｑ５ｆ（以下、単にトランジスタという）と、還流用のダイオードＤ５ａ，Ｄ５ｂ，Ｄ５ｃ，Ｄ５ｄ，Ｄ５ｅ，Ｄ５ｆとで構成されている。トランジスタＱ５ａ及びＱ５ｂ、Ｑ５ｃ及びＱ５ｄ、Ｑ５ｅ及びＱ５ｆは、電源配線Ｌ１とＧＮＤ配線Ｌ２との間に直列に接続されている。トランジスタＱ５ａ及びＱ５ｂ、Ｑ５ｃ及びＱ５ｄ、Ｑ５ｅ及びＱ５ｆの間の各接続点ＮＵ，ＮＶ，ＮＷは、プリント基板Ｐ１上のインターフェースＩＦ６，Ｉｆ７，Ｉｆ８を介して圧縮機用モータ５２に接続されている。ダイオードＤ５ａ〜Ｄ５ｆは、各トランジスタＱ５ａ〜Ｑ５ｆに逆電圧が印加された場合に導通するような特性を有しており、各トランジスタＱ５ａ〜Ｑ５ｆに並列に接続されている。このような構成を有するインバータ部１５は、マイクロコンピュータ（図示せず）から送られてくるゲート制御電圧に基づいてトランジスタＱ５ａ〜Ｑ５ｆがオン及びオフすることで、圧縮機用モータ５２を駆動するための駆動電圧を生成する。この駆動電圧により、圧縮機用モータ５２は回転駆動する。
【００５０】
電流検出部１６は、圧縮機用モータ５２に流れたモータ電流を検出する。電流検出部１６は、主として、電圧平滑回路１４及びインバータ部１５の間であってかつＧＮＤ配線Ｌ２上に直列に接続されているシャント抵抗や、シャント抵抗の両端電圧に基づいてモータ電流を演算するマイクロコンピュータ（図示せず）で構成される。
【００５１】
（２）電圧平滑回路の構成
次に、本実施形態に係る電圧平滑回路１４の構成について、図２を用いて具体的に説明する。尚、図２では、図を簡単にするため、図１から電源部１３及び電圧平滑回路１４のみを抜き出して図示している。また、既に述べたように、電圧平滑回路１４には、電源部１３によって直流電圧に近い波形を有するようになった商用電源５１からの電圧が電源配線Ｌ１を介して印加されるため、電源部１３を"直流電源"として表している。図２では、電源部１３から出力される電圧の値を、"Ｖｄｃ"として表している。
【００５２】
電圧平滑回路１４は、第１平滑コンデンサＣ１、第２平滑コンデンサＣ２、第１バランス抵抗Ｒ３、第２バランス抵抗Ｒ４、第１ツェナーダイオードＲＺ３（第１通電規制部に相当）、及び第２ツェナーダイオードＲＺ４（第２通電規制部に相当）を備える。
【００５３】
（２−１）第１平滑コンデンサ及び第２平滑コンデンサ
第１平滑コンデンサＣ１及び第２平滑コンデンサＣ２は、互いに直列に接続されていると共に、電源部１３に対して並列に接続されている。具体的には、電源配線Ｌ１には、第１平滑コンデンサＣ１の一端が接続され、ＧＮＤ配線Ｌ２には、第２平滑コンデンサＣ２の一端が接続されている。第１平滑コンデンサＣ１及び第２平滑コンデンサＣ２の各他端は、互いに接続されている。このような第１平滑コンデンサＣ１及び第２平滑コンデンサＣ２は、電源部１３から出力された電圧を更に平滑化させる。
【００５４】
ここで、一般的に、コンデンサの等価回路は、互いに並列に接続された容量成分及び抵抗成分（以下、内部抵抗という）の他、これらの成分に直列に接続されたインダクタンス成分によって構成される。図２では、説明を簡単にするため、インダクタンス成分を省略し、第１及び第２平滑コンデンサＣ１，Ｃ２を、それぞれ内部抵抗Ｒ１ａ，Ｒ２ａ及び容量成分Ｃ１ａ，Ｃ２ａで表している。第１平滑コンデンサＣ１の内部抵抗Ｒ１ａ及び容量成分Ｃ１ａは、互いに並列に接続されている。第２平滑コンデンサＣ２の内部抵抗Ｒ２ａ及び容量成分Ｃ２ａは、互いに並列に接続されている。
【００５５】
尚、第１平滑コンデンサＣ１及び第２平滑コンデンサＣ２は、同じ容量値であって、一例としては１９２０μＣが挙げられる。また、第１平滑コンデンサＣ１及び第２平滑コンデンサＣ２として用いられるコンデンサの種類としては、電解コンデンサやタンタルコンデンサ、セラミックコンデンサ等があるが、本実施形態では、第１平滑コンデンサＣ１及び第２平滑コンデンサＣ２として電解コンデンサを用いる。
【００５６】
（２−２）第１バランス抵抗及び第２バランス抵抗
第１バランス抵抗Ｒ３は、第１平滑コンデンサＣ１に並列に接続され、第２バランス抵抗Ｒ４は、第２平滑コンデンサＣ２に並列に接続されている。つまり、第１バランス抵抗Ｒ３は、電源配線Ｌ１側（即ち、上側）に設けられ、第２バランス抵抗Ｒ４は、ＧＮＤ配線Ｌ２側（即ち、下側）に設けられている。具体的には、第１バランス抵抗Ｒ３は、一端が電源配線Ｌ１に接続され、他端は第１ツェナーダイオードＲＺ３のカソードに接続されている。第２バランス抵抗Ｒ４は、一端が第１平滑コンデンサＣ１及び第２平滑コンデンサＣ３の接続点ｓ１に接続され、他端が第２ツェナーダイオードＲＺ４のカソードに接続されている。
【００５７】
また、第１バランス抵抗Ｒ３は、第１平滑コンデンサＣ１の内部抵抗Ｒ１ａの値よりも小さい抵抗値を有し、第２バランス抵抗Ｒ４は、第２平滑コンデンサＣ２の内部抵抗Ｒ２ａの値よりも小さい抵抗値を有している。これは、第１バランス抵抗Ｒ３及び第２バランス抵抗Ｒ４の抵抗値を小さい値に決定する程制御性が向上し、よって第１平滑コンデンサＣ１及び第２平滑コンデンサＣ２それぞれに印加される両電圧のバランスをとることができるからである。そこで、本実施形態においては、第１バランス抵抗Ｒ３及び第２バランス抵抗Ｒ４の抵抗値は、第１平滑コンデンサＣ１の内部抵抗Ｒ１ａ及び第２平滑コンデンサＣ２の内部抵抗Ｒ２ａのバラツキの下限値に対し、十分小さい値に決定される。一例としては、第１バランス抵抗Ｒ３及び第２バランス抵抗Ｒ４は、それぞれ内部抵抗Ｒ１ａ，Ｒ２ａの１／１０〜１／２０程度に決定される。しかしながら、第１バランス抵抗Ｒ３及び第２バランス抵抗Ｒ４の値を小さくする程、第１バランス抵抗Ｒ３及び第２バランス抵抗Ｒ４に流れる電流が大きくなることから、各バランス抵抗Ｒ３，Ｒ４における電力損失が大きくなってしまう。そのため、当該電力損失を考慮して、当該電力損失が目標の電力損失量となるように第１バランス抵抗Ｒ３及び第２バランス抵抗Ｒ４の抵抗値が決定されることが望ましい。
【００５８】
ここで、第１バランス抵抗Ｒ３及び第２バランス抵抗Ｒ４の具体的な例としては、第１平滑コンデンサＣ１の内部抵抗Ｒ１ａが"１０７５ｋΩ"、第２平滑コンデンサＣ２の内部抵抗Ｒ２ａが"４２０ｋΩ"であるとした場合、第１バランス抵抗Ｒ３及び第２バランス抵抗Ｒ４の抵抗値は共に"５０ｋΩ（１／８Ｗ）"と決定することができる。このように、本実施形態に係る第１バランス抵抗Ｒ３及び第２バランス抵抗Ｒ４は、従来の手法におけるバランス抵抗の値に比して印加される電圧を大幅に低くできるため、損失を小さくでき、チップ抵抗のように比較的サイズの小さい抵抗を用いることができる。これに対し、従来に係る手法においては、バランス抵抗は例えば"５．６ｋΩ（１０Ｗ）の３直列"のように比較的大きい値であったため、寸法の大きいセメント抵抗を用いることが主流であった。
【００５９】
（２−３）第１ツェナーダイオード及び第２ツェナーダイオード
第１ツェナーダイオードＲＺ３は、第１バランス抵抗Ｒ３に直列に接続されている。より具体的には、第１ツェナーダイオードＲＺ３のアノードは第１平滑コンデンサＣ１及び第２平滑コンデンサＣ２の接続点ｓ１に接続され、カソードは第１バランス抵抗Ｒ３に接続されている。このような第１ツェナーダイオードＲＺ３は、第１ツェナー電圧Ｖｒ３（第１所定電圧に相当）以上の電圧が印加された場合、第１バランス抵抗Ｒ３に一方向に電流を流す（図３参照）。ここで言う一方向とは、第１ツェナーダイオードＲＺ３の逆方向、つまりカソードからアノードへの方向である。
【００６０】
第２ツェナーダイオードＲＺ４は、第２バランス抵抗Ｒ４に直列に接続されている。より具体的には、第２ツェナーダイオードＲＺ４のアノードはＧＮＤ配線Ｌ２に接続され、カソードは第２バランス抵抗Ｒ４に接続されている。このような第２ツェナーダイオードＲＺ４は、第２ツェナー電圧Ｖｒ４（第２所定電圧に相当）以上の電圧が印加された場合、第２バランス抵抗Ｒ４に一方向に電流を流す（図４参照）。ここで言う一方向とは、第２ツェナーダイオードＲＺ４の逆方向、つまりカソードからアノードへの方向である。
【００６１】
特に、本実施形態においては、電圧Ｖｄｃが例えば"７１８Ｖ"であるとした場合、第１ツェナー電圧Ｖｒ３及び第２ツェナー電圧Ｖｒ４は、電圧Ｖｄｃの値に基づいて共に"３６０Ｖ"と決定される。第１ツェナー電圧Ｖｒ３及び第２ツェナー電圧Ｖｒ４は、共に電圧Ｖｄｃ以下の値であるが、これらの合計が電圧Ｖｄｃの値以上となるように決定されている。これにより、第１ツェナーダイオードＲＺ３及び第２ツェナーダイオードＲＺ４双方に第１ツェナー電圧Ｖｒ３以上及び第２ツェナー電圧Ｖｒ４以上となる電圧が印加されることはなく、第１ツェナーダイオードＲＺ３及び第２ツェナーダイオードＲＺ４のいずれか一方にのみ、第１ツェナー電圧Ｖｒ３以上または第２ツェナー電圧Ｖｒ４の電圧が印加されるようになる。即ち、第１ツェナーダイオードＲＺ３に第１ツェナー電圧Ｖｒ３以上の電圧が印加された場合には、第２ツェナーダイオードＲＺ４には第２ツェナー電圧Ｖｒ４以上の電圧が印加されない。逆に、第２ツェナーダイオードＲＺ４に第２ツェナー電圧Ｖｒ４以上の電圧が印加された場合には、第１ツェナーダイオードＲＺ３には第１ツェナー電圧Ｖｒ３以上の電圧は印加されない。
【００６２】
従って、第１平滑コンデンサＣ１及び第２平滑コンデンサＣ２の各内部抵抗Ｒ１ａ，Ｒ２ａのバラツキによって、第１ツェナーダイオードＲＺ３に第１ツェナー電圧Ｖｒ３以上の電圧が印加されれば、第１バランス抵抗Ｒ３を含む上側の電流経路Ｉ３に電流が流れるが、第２バランス抵抗Ｒ４を含む下側の電流経路Ｉ４には電流が流れない。よって、電流経路Ｉ３上を流れた電流は、第２平滑コンデンサＣ２の内部抵抗Ｒ２ａに流れ込む。逆に、各内部抵抗Ｒ１ａ，Ｒ２ａのバラツキによって、第２ツェナーダイオードＲＺ４に第２ツェナー電圧Ｖｒ４以上の電圧が印加されれば、下側の電流経路Ｉ４に電流が流れるが、上側の電流経路Ｉ３には電流が流れない。よって、電流経路Ｉ４上を流れる電流は、第１平滑コンデンサＣ１の内部抵抗Ｒ１ａから流れてくる。即ち、第１ツェナー電圧Ｖｒ３及び第２ツェナー電圧Ｖｒ４は、第１ツェナーダイオードＲＺ３及び第２ツェナーダイオードＲＺ４のいずれか一方にのみ電流が流れるように決定されていると言える。
【００６３】
更に、本実施形態においては、第１ツェナー電圧Ｖｒ３及び第２ツェナー電圧Ｖｒ４は、第１平滑コンデンサＣ１及び第２平滑コンデンサＣ２の定格電圧よりも小さくなるように決定されている。これは、第１平滑コンデンサＣ１及び第２平滑コンデンサＣ２に印加される電圧それぞれを、第１ツェナー電圧Ｖｒ３及び第２ツェナー電圧Ｖｒ４の値より大きくなるようにするためである。第１平滑コンデンサＣ１及び第２平滑コンデンサＣ２には、定格電圧が例えば４００Ｖ等のように数百ボルトであるものが利用される。第１ツェナー電圧Ｖｒ３及び第２ツェナー電圧Ｖｒ４が大きい値に決定される程、第１バランス抵抗Ｒ３及び第２バランス抵抗Ｒ４の電力損失を小さくすることができるため、第１バランス抵抗Ｒ３及び第２バランス抵抗Ｒ４における発熱量も小さくなる。そこで、本実施形態では、上述したように各ツェナー電圧Ｖｒ３，Ｖｒ４を、各平滑コンデンサＣ１，Ｃ２の定格電圧よりも小さい"３６０Ｖ"と決定することで、各バランス抵抗Ｒ３，Ｒ４の電力損失を小さくしている。
【００６４】
尚、各ツェナー電圧Ｖｒ３，Ｖｒ４の値は、上述した電圧Ｖｄｃや第１平滑コンデンサＣ１及び第２平滑コンデンサＣ２の定格電圧の他、第１バランス抵抗Ｒ３及び第２バランス抵抗Ｒ４の値も考慮して決定される。
【００６５】
（３）電圧平滑回路の動作
次に、電圧平滑回路１４の動作について、図３，４を用いて説明する。
【００６６】
先ず、電圧平滑回路１４の構成によると、第１平滑コンデンサＣ１の両端に印加される電圧Ｖ１は、電流経路Ｉ３上、即ち第１バランス抵抗Ｒ３から第１ツェナーダイオードＲＺ３までに印加される電圧と等しい（図３，４参照）。第２平滑コンデンサＣ２の両端に印加される電圧Ｖ２は、電流経路Ｉ４上、即ち第２バランス抵抗Ｒ４から第２ツェナーダイオードＲＺ４までに印加される電圧と等しい（図３，４参照）。
【００６７】
他方、各平滑コンデンサＣ１，Ｃ２としては同じコンデンサを使用しているため、理想的には、各内部抵抗Ｒ１ａ，Ｒ２ａ間のバラツキがほぼないかまたはバラツキが小さく（Ｒ１ａ≒Ｒ２ａ）、よって第１平滑コンデンサＣ１の両端に印加される電圧Ｖ１と第２平滑コンデンサＣ２の両端に印加される電圧Ｖ２とが、それぞれ各平滑コンデンサＣ１，Ｃ２の定格電圧以下となり、かつほぼ等しくなる状態となる。この理想状態では、各電流経路Ｉ３，Ｉ４に印加される電圧Ｖ１，Ｖ２は、それぞれ第１ツェナー電圧Ｖｒ３及び第２ツェナー電圧Ｖｒ４以下となる（Ｖ１＜Ｖｒ３，Ｖ２＜Ｖｒ４）。すると、電流経路Ｉ３，Ｉ４上には電流が流れることなく、第１及び第２平滑コンデンサＣ１，Ｃ２は電圧のバランスが保たれた状態を採る。
【００６８】
しかし、第１平滑コンデンサＣ１の内部抵抗Ｒ１ａ及び第２平滑コンデンサＣ２の内部抵抗Ｒ２ａにバラツキがあると、各平滑コンデンサＣ１，Ｃ２に印加される電圧Ｖ１，Ｖ２と各ツェナー電圧Ｖｒ３、Ｖｒ４との間に大小関係が生じ、第１及び第２平滑コンデンサＣ１，Ｃ２の電圧のバランスは崩れた状態を採ることとなる。当該大小関係に基づき、電圧平滑回路１４は、以下のいずれかの動作を採る。
【００６９】
（３−１）第１平滑コンデンサＣ１の両端に、第１ツェナー電圧Ｖｒ３以上の電圧が
印加された場合（Ｖ１＞Ｖｒ３）
この場合、第１平滑コンデンサＣ１の両端だけではなく、第１ツェナーダイオードＲＺ３にも第１ツェナー電圧Ｖｒ３以上の電圧Ｖ１が印加され、第１ツェナーダイオードＲＺ３が動作する。すると、第１ツェナーダイオードＲＺ３の両端電圧は、一定電圧、つまりは第１ツェナー電圧Ｖｒ３にクランプされ、電流経路Ｉ３上には、図３の矢印で示すように、第１バランス抵抗Ｒ３及び第１ツェナーダイオードＲＺ３の順に電流が流れる。一方、第２平滑コンデンサＣ２の両端に印加される電圧Ｖ２は"Ｖｄｃ−Ｖ１"と表されることから、当該電圧Ｖ２は第２ツェナー電圧Ｖｒ４よりも小さい。従って、第２ツェナーダイオードＲＺ４は動作せず、電流経路Ｉ４上には電流は流れない。
【００７０】
電流経路Ｉ３上を流れた電流は、接続点ｓ１を経て第２平滑コンデンサＣ２の内部抵抗Ｒ２ａに流れ込む。第１平滑コンデンサＣ１の両端に印加される電圧Ｖ１が大きい程、電流経路Ｉ３上を介して内部抵抗Ｒ２ａに流れ込む電流量が多くなる。
【００７１】
このようにして内部抵抗Ｒ２ａに電流が流れ込むことにより、第２平滑コンデンサＣ２の両端に印加される電圧Ｖ２が大きくなる。電圧Ｖ１は"Ｖｄｃ−Ｖ２"と表されるので、電圧Ｖ２が大きくなるにつれて小さくなっていく。
【００７２】
上記動作により、やがて電圧Ｖ２及び電圧Ｖ１はほぼ等しくなり、電流経路Ｉ３には電流が流れなくなる。即ち、上記動作は、第１平滑コンデンサＣ１の両端に印加される電圧Ｖ１が第１ツェナー電圧Ｖｒ３とほぼ等しくなり、第１及び第２平滑コンデンサＣ１，Ｃ２の電圧のバランスが保たれた状態となるまで、継続して行われる。
【００７３】
（３−２）第２平滑コンデンサＣ２の両端に、第２ツェナー電圧Ｖｒ４以上の電圧が印加された場合（Ｖ２＞Ｖｒ４）
この場合、第２平滑コンデンサＣ２の両端だけではなく、第２ツェナーダイオードＲＺ４にも第２ツェナー電圧Ｖｒ４以上の電圧Ｖ２が印加され、第２ツェナーダイオードＲＺ４が動作する。すると、第２ツェナーダイオードＲＺ４の両端電圧は、一定電圧、つまりは第２ツェナー電圧Ｖｒ４にクランプされ、電流経路Ｉ４上には、図４の矢印で示すように、第２バランス抵抗Ｒ４及び第２ツェナーダイオードＲＺ４の順に電流が流れる経路が形成される。一方、第１平滑コンデンサＣ１の両端に印加される電圧Ｖ１は"Ｖｄｃ−Ｖ２"と表されることから、当該電圧Ｖ１は第１ツェナー電圧Ｖｒ３よりも小さい。従って、第１ツェナーダイオードＲＺ３は動作せず、電流経路Ｉ３上には電流は流れない。
【００７４】
上記のように、電流経路Ｉ４上は通電可能となるが、電流経路Ｉ３上は通電可能ではないため、第１平滑コンデンサＣ１の内部抵抗Ｒ１ａを電流が流れるようになる。つまり、電流経路Ｉ４によって第１平滑コンデンサＣ１側から電流が引っ張られることとなり、内部抵抗Ｒ１ａを流れた電流は、接続点ｓ１を経て電流経路Ｉ４に流れる。第２平滑コンデンサＣ２の両端に印加される電圧Ｖ２が大きい程、内部抵抗Ｒ１ａを経て電流経路Ｉ４に流れる電流量が多くなる。
【００７５】
このようにして内部抵抗Ｒ１ａに電流が流れることにより、第１平滑コンデンサＣ１の両端に印加される電圧Ｖ１が大きくなる。電圧Ｖ２は"Ｖｄｃ−Ｖ１"と表されるので、電圧Ｖ１が大きくなるにつれて小さくなっていく。
【００７６】
上記動作により、やがて電圧Ｖ１及び電圧Ｖ２はほぼ等しくなり、電流経路Ｉ４には電流が流れなくなる。即ち、上記動作は、第２平滑コンデンサＣ２の両端に印加される電圧Ｖ２が第２ツェナー電圧Ｖｒ４とほぼ等しくなり、第１及び第２平滑コンデンサＣ１，Ｃ２の電圧のバランスが保たれた状態となるまで、継続して行われる。
【００７７】
（４）効果
（Ａ）
本実施形態に係る電圧平滑回路１４では、第１通電規制部である第１ツェナーダイオードＲＺ３に第１所定電圧である第１ツェナー電圧Ｖｒ３以上の電圧が印加された場合には、第１バランス抵抗Ｒ３に電流が流れ、この電流は例えば第２平滑コンデンサＣ２の内部抵抗Ｒ２ａに流れる（図３）。逆に、第２通電規制部である第２ツェナーダイオードＲＺ４に第２所定電圧である第２ツェナー電圧Ｖｒ４以上の電圧が印加された場合には、第２バランス抵抗Ｒ４に電流が流れることによって、例えば第１平滑コンデンサＣ１の内部抵抗Ｒ１ａにも電流が流れる（図４）。第１平滑コンデンサＣ１に電流が流れた場合には、第１平滑コンデンサＣ１の両端の電圧Ｖ１が上がり、第２平滑コンデンサＣ２に電流が流れた場合には、第２平滑コンデンサＣ２の両端の電圧Ｖ２が上がるため、簡易な構成で、各平滑コンデンサＣ１，Ｃ２に印加される電圧のバランスを保つことができる。
【００７８】
尚、本実施形態に係る電圧平滑回路１４では、第１ツェナー電圧Ｖｒ３以上または第２ツェナー電圧Ｖｒ４以上の電圧の印加の仕方によっては、第１及び第２バランス抵抗Ｒ３，Ｒ４の両方に常時電流が流れることがなくなり、第１及び第２バランス抵抗Ｒ３，Ｒ４としては、従来ほどの耐圧性能を備えた抵抗（例えばセメント抵抗）を用いずともよく、寸法の比較的小さいもの（例えばチップ抵抗）を利用することができる。従って、第１及び第２バランス抵抗Ｒ３，Ｒ４が実装されるプリント基板Ｐ１において、第１及び第２バランス抵抗Ｒ３，Ｒ４の占める面積が小さくなるため、プリント基板Ｐ１を小さくすることができる。また、第１及び第２バランス抵抗Ｒ３，Ｒ４の両方に常時電流が流れることがなくなれば、第１及び第２バランス抵抗Ｒ３，Ｒ４における発熱量を軽減することができるため、各バランス抵抗Ｒ３，Ｒ４付近の電子部品への影響を抑えることができる。
【００７９】
（Ｂ）
特に、本実施形態に係る電圧平滑回路１４では、第１ツェナーダイオードＲＺ３及び第２ツェナーダイオードＲＺ４のいずれか一方にのみ、第１ツェナー電圧Ｖｒ３以上または第２ツェナー電圧Ｖｒ４以上の電圧が印加されるため、第１及び第２バランス抵抗Ｒ３，Ｒ４の両方に常時電流が流れることがない。従って、第１及び第２バランス抵抗Ｒ３，Ｒ４としては、寸法の比較的小さいもの（例えばチップ抵抗）を利用することができると共に、第１及び第２バランス抵抗Ｒ３，Ｒ４における発熱量を軽減することができる。
【００８０】
（Ｃ）
また、本実施形態に係る電圧平滑回路１４では、例えば電源部１３が出力する電圧の値が"７１８Ｖ"であるとした場合、各ツェナーダイオードＲＺ３，ＲＺ４の各ツェナー電圧Ｖｒ３，Ｖｒ４は、共に"３６０Ｖ"と決定される。これにより、第１ツェナーダイオードＲＺ３及び第２ツェナーダイオードＲＺ４のいずれか一方にのみ電流が流れるようになるため、簡易な構成で第１及び第２バランス抵抗Ｒ３，Ｒ４における発熱量を軽減することができる。
【００８１】
（Ｄ）
また、本実施形態に係る電圧平滑回路１４では、第１ツェナー電圧Ｖｒ３及び第２ツェナー電圧Ｖｒ４が、第１平滑コンデンサＣ１及び第２平滑コンデンサＣ２の定格電圧とほぼ同じかまたはそれ以下である。これにより、第１及び第２平滑コンデンサＣ１，Ｃ２には、第１ツェナー電圧Ｖｒ３及び第２ツェナー電圧Ｖｒ４の値と同じかまたは大きい電圧が印加される。
【００８２】
（Ｅ）
また、本実施形態に係る電圧平滑回路１４では、第１バランス抵抗Ｒ３は、第１平滑コンデンサＣ１の内部抵抗Ｒ１ａの値よりも小さい抵抗値を有する。第２バランス抵抗Ｒ４は、第２平滑コンデンサＣ２の内部抵抗Ｒ２ａの値よりも小さい抵抗値を有する。これにより、第１平滑コンデンサＣ１及び第２平滑コンデンサＣ２の各内部抵抗Ｒ１ａ，Ｒ２ａに流れる電流量よりも、第１バランス抵抗Ｒ３及び第２バランス抵抗Ｒ４に流れる電流量の方が多くなるため、第１平滑コンデンサＣ１及び第２平滑コンデンサＣ２に流れる電流量を抑えることができる。従って、第１平滑コンデンサＣ１及び第２平滑コンデンサＣ２に印加される電圧を低くすることができる。
【００８３】
（５）変形例
（ａ）
本実施形態では、電圧平滑回路１４が図２〜４に示す構成である場合について説明した。しかし、電圧平滑回路は、図５に示すような構成であってもよい。図５の電圧平滑回路１４'は、既に説明した電圧平滑回路１４の構成に加え、更に第１補助抵抗Ｒ３１及び第２補助抵抗Ｒ３２を備えている。第１補助抵抗Ｒ３１は、第１ツェナーダイオードＲＺ３の両端に並列に接続されている。第２補助抵抗Ｒ３２は、第２ツェナーダイオードＲＺ４の両端に並列に接続されている。
【００８４】
図５に係る電圧平滑回路１４'によると、第１ツェナー電圧Ｖｒ３以上の電圧Ｖ１が第１ツェナーダイオードＲＺ３に印加された場合（Ｖ１＞Ｖｒ３）、第１バランス抵抗Ｒ３を流れる電流は、第１ツェナーダイオードＲＺ３及び第１補助抵抗Ｒ３１に分岐して流れる。逆に、第２ツェナー電圧Ｖｒ４以上の電圧Ｖ２が第２ツェナーダイオードＲＺ４に印加された場合（Ｖ２＞Ｖｒ４）、第２バランス抵抗Ｒ４を流れる電流は、第２ツェナーダイオードＲＺ４及び第２補助抵抗Ｒ３２に分岐して流れる。これにより、第１ツェナーダイオードＲＺ３及び第２ツェナーダイオードＲＺ４それぞれに流れる電流量は、電圧平滑回路１４に比して小さくなるため、第１ツェナーダイオードＲＺ３及び第２ツェナーダイオードＲＺ４の作動電圧や定格電力を低く設定することができ、第１ツェナーダイオードＲＺ３及び第２ツェナーダイオードＲＺ４としては、定格電流の比較的小さいものを用いることができる。従って、電圧平滑回路１４'に係るコストの低減化（特に、第１ツェナーダイオードＲＺ３及び第２ツェナーダイオードＲＺ４のコスト削減）を図ることができる。
【００８５】
また、第１補助抵抗Ｒ３１及び第２補助抵抗Ｒ３２は、モータ駆動装置１の電源遮断時には第１平滑コンデンサＣ１及び第２平滑コンデンサＣ２の放電回路として機能することもできる。従って、第１平滑コンデンサＣ１及び第２平滑コンデンサＣ２の放電回路を別途設ける必要がない。
【００８６】
尚、電圧平滑回路１４'は、第１補助抵抗Ｒ３１及び第２補助抵抗Ｒ３２を除き、図２〜４と同様の構成を有しているため、図５においては、第１補助抵抗Ｒ３１及び第２補助抵抗Ｒ３２を除いては図２〜４と同じ符号を付している。
【００８７】
（ｂ）
本実施形態では、図２〜４に示すように、第１ツェナーダイオードＲＺ１及び第２ツェナーダイオードＲＺ２が共に１つずつ設けられており、第１ツェナー電圧Ｖｒ３及び第２ツェナー電圧Ｖｒ４それぞれが３６０Ｖである場合について説明した。しかしながら、一般的に流通しているツェナーダイオードとしては、ツェナー電圧が１００Ｖ〜１５０Ｖ程度のものが多く、３６０Ｖのように比較的大きいものが少ない。そこで、複数個のツェナーダイオードを直列に接続することで、第１ツェナーダイオードＲＺ１や第２ツェナーダイオードＲＺ２として利用してもよい。例えば、ツェナー電圧を"３６０Ｖ"とする場合には、ツェナー電圧が１２０Ｖ程度であるツェナーダイオードを３個直列接続することで対応可能である。
【００８８】
しかし、ツェナーダイオードを複数個用いる場合には、必然的に部品コストが高くなってしまう。従って、利用するツェナーダイオードのコストと、第１バランス抵抗Ｒ３及び第２バランス抵抗Ｒ４の電力損失の目標値などを総合考慮し、第１ツェナー電圧Ｖｒ３及び第２ツェナー電圧Ｖｒ４を決定するとよい。
【００８９】
（ｃ）
本実施形態では、図２〜４に示すように、電流経路Ｉ３上においては、電圧の高い側から順に第１バランス抵抗Ｒ３及び第１ツェナーダイオードＲＺ３の順で接続され、電流経路Ｉ４上においては、第２バランス抵抗Ｒ４及び第２ツェナーダイオードＲＺ４の順で接続されている場合について説明した。しかし、各電流経路Ｉ３，Ｉ４上の素子の接続順は、上記順番に限定されない。
【００９０】
（ｄ）
本実施形態では、所定電圧以上の電圧が印加された場合に、第１バランス抵抗Ｒ３または第２バランス抵抗Ｒ４に一方向に電流を流す第１通電規制部及び第２通電規制部が、それぞれ第１ツェナーダイオードＲＺ３及び第２ツェナーダイオードＲＺ４で構成されている場合について説明した。しかし、第１通電規制部及び第２通電規制部は、所定電圧以上の電圧が印加された場合に第１または第２バランス抵抗Ｒ３，Ｒ４に一方向に電流を流すことができるものであればどのようなものであってもよく、ツェナーダイオード以外で構成されていてもよい。
【００９１】
＜第２実施形態＞
上記第１実施形態では、第１ツェナーダイオードＲＺ３及び第２ツェナーダイオードＲＺ４のいずれか一方にのみ電流が流れる場合について説明したが、本実施形態では、上記第１実施形態とは異なる動作をする電圧平滑回路について説明する。
【００９２】
尚、本実施形態に係る電圧平滑回路１１４は、上記実施形態と同様、図１にて示したモータ駆動装置１に備えられており、電源部１３から出力された電圧を平滑する。電源部１３は、上記実施形態に係る電源部１３と同様であるので、同じ符号を付している。
【００９３】
（１）電圧平滑回路の構成
次に、本実施形態に係る電圧平滑回路１１４の構成について、図６〜８を用いて具体的に説明する。図６〜８は、図２と同様、図１から電源部１３及び電圧平滑回路１１４のみを抜き出して図示している。
【００９４】
電圧平滑回路１１４は、電源部１３から出力された電圧を平滑する回路であって、その主な回路構成は、上記第１実施形態に係る電圧平滑回路１４と同様である。つまり、電圧平滑回路１１４は、第１平滑コンデンサＣ１１、第２平滑コンデンサＣ１２、第１バランス抵抗Ｒ１３、第２バランス抵抗Ｒ１４、第１ツェナーダイオードＲＺ１３（第１通電規制部に相当）、及び第２ツェナーダイオードＲＺ１４（第２通電規制部に相当）を備える。
【００９５】
第１平滑コンデンサＣ１１及び第２平滑コンデンサＣ１２は、互いに直列に接続されており、電源部１３に対して並列に接続されている。第１平滑コンデンサＣ１１及び第２平滑コンデンサＣ１２は、それぞれ内部抵抗Ｒ１１ａ，Ｒ１２ａ及び容量成分Ｃ１１ａ，Ｃ１２ａを有しており、電源部１３から出力された電圧を更に平滑化させる。
【００９６】
第１バランス抵抗Ｒ１３は、第１平滑コンデンサＣ１１に並列に接続され、第２バランス抵抗Ｒ１４は、第２平滑コンデンサＣ１２に並列に接続されている。第１バランス抵抗Ｒ１３は、第１平滑コンデンサＣ１１の内部抵抗Ｒ１１ａの値よりも小さい抵抗値を有し、第２バランス抵抗Ｒ１４は、第２平滑コンデンサＣ１２の内部抵抗Ｒ１２ａの値よりも小さい抵抗値を有している。
【００９７】
第１ツェナーダイオードＲＺ１３は、第１バランス抵抗Ｒ１３に直列に接続され、第２ツェナーダイオードＲＺ１４は、第２バランス抵抗Ｒ１４に直列に接続されている。第１ツェナーダイオードＲＺ１３は、第１ツェナー電圧Ｖｒ１３（第１所定電圧に相当）以上の電圧が印加された場合、第１バランス抵抗Ｒ１３に一方向（つまり、第１ツェナーダイオードＲＺ１３のカソードからアノードへの方向）に電流を流す。第２ツェナーダイオードＲＺ１４は、第２ツェナー電圧Ｖｒ１４（第２所定電圧に相当）以上の電圧が印加された場合、第２バランス抵抗Ｒ１４に一方向（つまり、第２ツェナーダイオードＲＺ１４のカソードからアノードへの方向）に電流を流す。
【００９８】
また、第１ツェナー電圧Ｖｒ１３は、電源部１３の電圧Ｖｄｃの値に基づいて、第１平滑コンデンサＣ１の両端に印加される電圧Ｖ１１よりも低い値となるように決定される。第２ツェナー電圧Ｖｒ１４は、電源部１３の電圧Ｖｄｃの値に基づいて、第２平滑コンデンサＣ２の両端に印加される電圧Ｖ１２よりも低い値となるように決定される。一例としては、電圧Ｖｄｃが"７１８Ｖ"であるとした場合、第１ツェナー電圧Ｖｒ１３及び第２ツェナー電圧Ｖｒ１４は、それぞれ電圧Ｖｄｃ以下の"２４０Ｖ"と決定される。つまり、本実施形態では、第１ツェナーダイオードＲＺ１３及び第２ツェナーダイオードＲＺ１４は、上述した第１実施形態に係る第１ツェナーダイオードＲＺ３及び第２ツェナーダイオードＲＺ４に比してツェナー電圧の低いものを利用することで、第１実施形態よりも経済的に構成している。
【００９９】
これにより、各平滑コンデンサＣ１１，Ｃ１２が同じ容量値（一例としては１９２０μＣ）であるとすると、第１平滑コンデンサＣ１１及び第２平滑コンデンサＣ１２の各内部抵抗Ｒ１１ａ，Ｒ１２ａのバラツキがない場合には、第１平滑コンデンサＣ１１及び第２平滑コンデンサＣ１２の各両端にはそれぞれ３５９Ｖずつの電圧Ｖ１１，Ｖ１２が印加されることになる。この場合、第１ツェナーダイオードＲＺ１３には第１ツェナー電圧Ｖｒ１３以上の電圧が印加され、第２ツェナーダイオードＲＺ１４にも第２ツェナー電圧Ｖｒ１４以上の電圧が印加される。すると、第１バランス抵抗Ｒ１３及び第１ツェナーダイオードＲＺ１３で構成される上側の電流経路Ｉ１３、並びに第２バランス抵抗Ｒ１４及び第２ツェナーダイオードＲＺ１４で構成される下側の電流経路Ｉ１４の双方には、電流が流れることとなる。この時、第１平滑コンデンサＣ１１及び第２平滑コンデンサＣ１２の両端電圧Ｖ１１，Ｖ１２は等しいため、各内部抵抗Ｒ１１ａ，Ｒ１２ａには電流は流れない。
【０１００】
一方、各内部抵抗Ｒ１１ａ，Ｒ１２ａのバラツキがある場合にも、第１ツェナーダイオードＲＺ１３に第１ツェナー電圧Ｖｒ１３以上の電圧が印加されると共に、第２ツェナーダイオードＲＺ１４にも第２ツェナー電圧Ｖｒ１４が印加されることがある。つまり、本実施形態では、第１ツェナーダイオードＲＺ１３及び第２ツェナーダイオードＲＺ１４双方に第１ツェナー電圧Ｖｒ１３以上及び第２ツェナー電圧Ｖｒ１４以上となる電圧が印加されることがある。例えば、第１平滑コンデンサＣ１１の両端電圧Ｖ１１が３１０Ｖであって、第２平滑コンデンサＣ１２の両端電圧V１２が４０８Ｖである場合、各第１ツェナーダイオードＲＺ１３及び第２ツェナーダイオードＲＺ１４には、第１ツェナー電圧Ｖｒ１３以上の電圧及び第２ツェナー電圧Ｖｒ１４以上の電圧それぞれが印加されるため、第１ツェナーダイオードＲＺ１３を含む電流経路Ｉ１３及び第２ツェナーダイオードＲＺ１４を含む電流経路Ｉ１４それぞれには電流が流れる。このようにして各電流経路Ｉ１３，Ｉ１４を流れた電流は、これらの電流の差分が、第１平滑コンデンサＣ１１及び第２平滑コンデンサＣ１２の両端電圧Ｖ１１，Ｖ１２の大小に応じて内部抵抗Ｒ１１ａまたは内部抵抗Ｒ１２ａに流れる。
【０１０１】
更に、第１実施形態と同様、第１ツェナー電圧Ｖｒ１３は、第１平滑コンデンサＣ１１の定格電圧以下となるように決定され、第２ツェナー電圧Ｖｒ１４は、第２平滑コンデンサＣ１２の定格電圧以下となるように決定されている。
【０１０２】
また、各ツェナー電圧Ｖｒ１３，Ｖｒ１４の値は、上述した電圧Ｖｄｃや第１平滑コンデンサＣ１１及び第２平滑コンデンサＣ１２の定格電圧の他、第１バランス抵抗Ｒ１３及び第２バランス抵抗Ｒ１４の値も考慮して決定される。
【０１０３】
（２）動作
次に、電圧平滑回路１１４の動作について、図６〜８を用いて説明する。尚、以下では、説明を簡単にするため、各バランス抵抗Ｒ１３，Ｒ１４の抵抗値は等しく、かつ各第１及び第２ツェナー電圧Ｖｒ１３，Ｖｒ１４は共に"２４０Ｖ"、電源部１３の電圧Ｖｄｃは７１８Ｖであるとする。
【０１０４】
先ず、電圧平滑回路１１４の構成によると、第１平滑コンデンサＣ１１の両端に印加される電圧Ｖ１１は、電流経路Ｉ１３に印加される電圧と等しく、第２平滑コンデンサＣ１２の両端に印加される電圧Ｖ１２は、電流経路Ｉ１４に印加される電圧と等しい。他方、各平滑コンデンサＣ１１，Ｃ１２としては同じコンデンサを使用しているため、理想的には、各内部抵抗Ｒ１１ａ，Ｒ１２ａ間のバラツキがほぼないかまたはバラツキが小さく（Ｒ１１ａ≒Ｒ１２ａ）、よって第１平滑コンデンサＣ１の両端電圧Ｖ１１と第２平滑コンデンサＣ１２の両端電圧Ｖ１２とが、それぞれ各平滑コンデンサＣ１１，Ｃ１２の定格電圧以下となり、かつほぼ等しくなる状態となる。この理想状態では、各電流経路Ｉ１３，Ｉ１４に印加される電圧Ｖ１１，Ｖ１２は、それぞれ第１ツェナー電圧Ｖｒ１３及び第２ツェナー電圧Ｖｒ１４以上であるため（Ｖ１１＞Ｖｒ１３，Ｖ１２＞Ｖｒ１４）、電流経路Ｉ１３上には、電圧Ｖ１１と第１ツェナー電圧Ｖｒ１３との差分電圧に基づく電流が流れ、電流経路Ｉ１４上には、電圧Ｖ１２と第２ツェナー電圧Ｖｒ１４との差分電圧に基づく電流が流れる。一方、各内部抵抗Ｒ１１ａ，Ｒ１２ａ上には電流が流れず、第１及び第２平滑コンデンサＣ１１，Ｃ１２は電圧のバランスが保たれた状態を採る（図６）。
【０１０５】
しかし、内部抵抗Ｒ１１ａ，Ｒ１２ａにバラツキがあると、各平滑コンデンサＣ１１，Ｃ１２に印加される電圧Ｖ１１，Ｖ１２の間に大小関係が生じ、第１及び第２平滑コンデンサＣ１１，Ｃ１２の電圧のバランスは崩れた状態を採ることとなる。当該大小関係に基づき、電圧平滑回路１１４は、以下のいずれかの動作を採る。
【０１０６】
（２−１）第１平滑コンデンサＣ１１の両端電圧Ｖ１１が、第２平滑コンデンサＣ１２の両端電圧Ｖ１２よりも大きい場合（Ｖ１１＞Ｖ１２）
仮に、両端電圧Ｖ１１が３８０Ｖ、両端電圧Ｖ１２が３３８Ｖであるとする。各両端電圧Ｖ１１，Ｖ１２は第１ツェナー電圧Ｖｒ１３，Ｖｒ１４以上であるため、第１及び第２ツェナーダイオードＲＺ１３，ＲＺ１４は共に動作し、第１ツェナーダイオードＲＺ１３，ＲＺ１４の両端電圧は第１ツェナー電圧Ｖｒ１３にクランプされ、第２ツェナーダイオードＲＺ１４の両端電圧は第２ツェナー電圧Ｖｒ１４にクランプされる。すると、電流経路Ｉ１３上には、第１バランス抵抗Ｒ１３及び第１ツェナーダイオードＲＺ１３の順に電流が流れ、電流経路Ｉ１４上には、第２バランス抵抗Ｒ１４から第２ツェナーダイオードＲＺ１４の順に電流が流れる（図７）。
【０１０７】
また、各バランス抵抗Ｒ１３，Ｒ１４にかかる電圧は、それぞれ両端電圧Ｖ１１，Ｖ１２と各ツェナー電圧Ｖｒ１３，Ｖｒ１４との差分電圧となる（Ｖ１１−Ｖｒ１３，Ｖ１２−Ｖｒ１４）。ここでは、両端電圧Ｖ１１が両端電圧Ｖ１２よりも大きいため（Ｖ１１＞Ｖ１２）、第１バランス抵抗Ｒ１３にかかる電圧は第２バランス抵抗Ｒ１４にかかる電圧よりも大きい。よって、第１バランス抵抗Ｒ１３を流れる電流（つまり、電流経路Ｉ１３上を流れる電流）は、第２バランス抵抗Ｒ１４を流れる電流（つまり、電流経路Ｉ１４上を流れる電流）よりも多くなる。つまりは、電流経路Ｉ１３上を流れる電流は、接続点Ｓ１を介して電流経路Ｉ１４上及び第２平滑コンデンサＣ１２の内部抵抗Ｒ１２ａ上に分岐して流れる。即ち、第１平滑コンデンサＣ１１の内部抵抗Ｒ１１ａには電流が流れないが、第２平滑コンデンサＣ１２の内部抵抗Ｒ１２ａには、電流経路Ｉ１３上を流れる電流と電流経路Ｉ１４上を流れる電流との差分電流が流れる。このようにして内部抵抗Ｒ１２ａに電流が流れ込むことにより、第２平滑コンデンサＣ１２の両端に印加される電圧Ｖ１２が大きくなる。電圧Ｖ１１は"Ｖｄｃ−Ｖ１２"と表されるので、電圧Ｖ１２が大きくなるにつれて小さくなっていく。
【０１０８】
上記動作により、やがて両端電圧Ｖ１１，Ｖ１２はほぼ等しくなり、各電流経路Ｉ１３、電流経路Ｉ４上には各両端電圧Ｖ１１，Ｖ１２と各ツェナー電圧Ｖｒ１３，Ｖｒ１４との差分に基づく電流が流れるものの、第２平滑コンデンサＣ１２の内部抵抗Ｒ１２ａには電流が流れなくなる（図６）。このように、電圧平滑回路１１４は、上記動作により、両端電圧Ｖ１１が両端電圧Ｖ１２よりも大きい場合には、第１平滑コンデンサＣ１１の両端電圧Ｖ１１を小さくして第２平滑コンデンサＣ１２の両端電圧Ｖ１２を大きくするように働くため、両端電圧Ｖ１１，Ｖ１２のバランスが保たれた状態となり、第１平滑コンデンサＣ１１への過剰な電圧印加を回避することができる。
【０１０９】
（２−２）第１平滑コンデンサＣ１１の両端電圧Ｖ１１が、第２平滑コンデンサＣ１２の両端電圧Ｖ１２よりも小さい場合（Ｖ１１＜Ｖ１２）
仮に、両端電圧Ｖ１１が３３８Ｖ、両端電圧Ｖ１２が３８０Ｖであるとする。各両端電圧Ｖ１１，Ｖ１２は第１ツェナー電圧Ｖｒ１３，Ｖｒ１４以上であるため、第１及び第２ツェナーダイオードＲＺ１３，ＲＺ１４は共に動作し、第１ツェナーダイオードＲＺ１３，ＲＺ１４の両端電圧は第１ツェナー電圧Ｖｒ１３にクランプされ、第２ツェナーダイオードＲＺ１４の両端電圧は第２ツェナー電圧Ｖｒ１４にクランプされる。すると電流経路Ｉ１３上には、第１バランス抵抗Ｒ１３及び第１ツェナーダイオードＲＺ１３の順に電流が流れ、電流経路Ｉ１４上には、第２バランス抵抗Ｒ１４から第２ツェナーダイオードＲＺ１４の順に電流が流れる（図８）。
【０１１０】
また、各バランス抵抗Ｒ１３，Ｒ１４にかかる電圧は、それぞれ両端電圧Ｖ１１，Ｖ１２と各ツェナー電圧Ｖｒ１３，Ｖｒ１４との差分電圧となる（Ｖ１１−Ｖｒ１３，Ｖ１２−Ｖｒ１４）。ここで、両端電圧Ｖ１２が両端電圧Ｖ１１よりも大きいため（Ｖ１１＜Ｖ１２）、第２バランス抵抗Ｒ１４にかかる電圧は第１バランス抵抗Ｒ１３にかかる電圧よりも大きい。よって、上記（２−１）とは逆に、第２バランス抵抗Ｒ１４を流れる電流（つまり、電流経路Ｉ１４上を流れる電流）は、第１バランス抵抗Ｒ１３を流れる電流（つまり、電流経路Ｉ１３上を流れる電流）よりも多くなる。つまりは、電源部１３から流れてきた電流は、第１平滑コンデンサＣ１１の内部抵抗Ｒ１１ａ側と電流経路Ｉ１３側とに分岐して流れ、その後接続点Ｓ１を介して電流経路Ｉ１４で合流する。即ち、第２平滑コンデンサＣ１２の内部抵抗Ｒ１２ａには電流が流れないが、第１平滑コンデンサＣ１１の内部抵抗Ｒ１１ａには、電流経路Ｉ１４上を流れる電流と電流経路Ｉ１３上を流れる電流との差分電流が流れる。このようにして内部抵抗Ｒ１１ａに電流が流れ込むことにより、第１平滑コンデンサＣ１１の両端に印加される電圧Ｖ１１が大きくなる。電圧Ｖ１２は"Ｖｄｃ−Ｖ１１"と表されるので、電圧Ｖ１１が大きくなるにつれて小さくなっていく。
【０１１１】
上記動作により、やがて両端電圧Ｖ１１，Ｖ１２はほぼ等しくなり、電流経路Ｉ１３、電流経路Ｉ４上には各両端電圧Ｖ１１，Ｖ１２と各ツェナー電圧Ｖｒ１３，Ｖｒ１４との差分に基づく電流が流れるものの、第１平滑コンデンサＣ１１の内部抵抗Ｒ１１ａには電流が流れなくなる（図６）。このように、電圧平滑回路１１４は、上記動作により、両端電圧Ｖ１２が両端電圧Ｖ１１よりも大きい場合には、第２平滑コンデンサＣ１２の両端電圧Ｖ１２を小さくして第１平滑コンデンサＣ１１の両端電圧Ｖ１１を大きくするように働くため、両端電圧Ｖ１１，Ｖ１２のバランスが保たれた状態となり、第２平滑コンデンサＣ１２への過剰な電圧印加を回避することができる。
【０１１２】
（３）効果
（Ａ）
本実施形態に係る電圧平滑回路１１４によると、第１ツェナーダイオードＲＺ１３に第１ツェナー電圧Ｖｒ１３以上の電圧が印加されると共に、第２ツェナーダイオードＲＺ１４にも第２ツェナー電圧Ｖｒ１４以上の電圧が印加されるため、第１ツェナーダイオードＲＺ１３及び第２ツェナーダイオードＲＺ１４の双方、つまりは第１バランス抵抗Ｒ１３及び第２バランス抵抗Ｒ１４の双方に電流が流れるようになる。
【０１１３】
尚、本実施形態では、第１実施形態に比してツェナー電圧の低いものを第１ツェナーダイオードＲＺ１３及び第２ツェナーダイオードＲＺ１４として利用することで、上記動作を実現している。そのため、本実施形態に係る電圧平滑回路１１４は、通電規制部であるツェナーダイオードの作動電圧や定格電力を低く設定したい場合に、特に有効な方法と言える。
【０１１４】
（Ｂ）
また、本実施形態に係る電圧平滑回路１１４によると、第１ツェナーダイオードＲＺ１３には、第１ツェナー電圧Ｖｒ１３以上の電圧が印加されることで電流が流れ、第２ツェナーダイオードＲＺ１４には、第２ツェナー電圧Ｖｒ１４以上の電圧が印加されることで電流が流れる。第１ツェナーダイオードＲＺ１３及び第２ツェナーダイオードＲＺ１４における各電圧は、それぞれ第１ツェナー電圧Ｖｒ１３及び第２ツェナー電圧Ｖｒ１４にクランプされる。そのため、第１バランス抵抗Ｒ１３には、第１平滑コンデンサＣ１１の両端電圧と第１ツェナー電圧Ｖｒ１３との差分電圧が印加され、第２バランス抵抗Ｒ１４には、第２平滑コンデンサＣ１２の両端電圧と第２ツェナー電圧Ｖｒ１４との差分電圧が印加される。従って、簡易な構成で第１及び第２バランス抵抗Ｒ１３，Ｒ１４に流れる電流の値を従来よりも小さくすることができ、第１及び第２バランス抵抗Ｒ１３，Ｒ１４における発熱量を軽減することができるため、各バランス抵抗Ｒ１３，Ｒ１４付近の電子部品への影響を抑えることができる。
【０１１５】
従って、簡易な構成で、各平滑コンデンサＣ１，Ｃ２に印加される電圧のバランスを保つことができる。また、第１バランス抵抗Ｒ１３及び第２バランス抵抗Ｒ１４としては、寸法の比較的小さいもの（例えばチップ抵抗）を利用することができる。第１及び第２バランス抵抗Ｒ１３，Ｒ１４が実装されるプリント基板において、第１及び第２バランス抵抗Ｒ１３，Ｒ１４の占める面積が小さくなるため、プリント基板を小さくすることができる。
【０１１６】
（Ｃ）
また、本実施形態に係る電圧平滑回路１１４では、第１ツェナー電圧Ｖｒ１３及び第２ツェナー電圧Ｖｒ１４は、第１平滑コンデンサＣ１１及び第２平滑コンデンサＣ１２の定格電圧以下である。これにより、各第１及び第２平滑コンデンサＣ１１，Ｃ１２には、第１ツェナー電圧Ｖｒ１３及び第２ツェナー電圧Ｖｒ１４の値よりも大きい電圧がそれぞれ印加される。
【０１１７】
（Ｄ）
また、本実施形態に係る電圧平滑回路１１４によると、第１バランス抵抗Ｒ１３は、第１平滑コンデンサＣ１１の内部抵抗Ｒ１１ａの値よりも小さい抵抗値を有し、第２バランス抵抗Ｒ１４は、第２平滑コンデンサＣ１２の内部抵抗Ｒ１２ａの値よりも小さい抵抗値を有する。これにより、第１平滑コンデンサＣ１１及び第２平滑コンデンサＣ１２の各内部抵抗Ｒ１１ａ，Ｒ１２ａに流れる電流量よりも、第１バランス抵抗Ｒ１３及び第２バランス抵抗Ｒ１４に流れる電流量の方が多くなるため、第１平滑コンデンサＣ１１及び第２平滑コンデンサＣ１２に流れる電流量を抑えることができる。従って、第１平滑コンデンサＣ１１及び第２平滑コンデンサＣ１２に印加される電圧を低くすることができる。
【０１１８】
（４）変形例
（ａ）
本実施形態に係る電圧平滑回路は、第１実施形態に係る電圧平滑回路１４'（図５）と同様、図９に示すような構成であってもよい。図９の電圧平滑回路１１４'は、図６〜８で説明した電圧平滑回路１１４の構成に加え、更に第１補助抵抗Ｒ１３１及び第２補助抵抗Ｒ１３２を備えている。第１補助抵抗Ｒ１３１は、第１ツェナーダイオードＲＺ１３の両端に並列に接続されている。第２補助抵抗Ｒ１３２は、第２ツェナーダイオードＲＺ１４の両端に並列に接続されている。
【０１１９】
図９に係る電圧平滑回路１１４'によると、各ツェナーダイオードＲＺ１３，ＲＺ１４が動作する場合には、第１バランス抵抗Ｒ１３を流れる電流は、第１ツェナーダイオードＲＺ１３及び第１補助抵抗Ｒ１３１に分岐して流れ、第２バランス抵抗Ｒ１４を流れる電流は、第２ツェナーダイオードＲＺ１４及び第２補助抵抗Ｒ１３２に分岐して流れる。これにより、第１ツェナーダイオードＲＺ１３及び第２ツェナーダイオードＲＺ１４それぞれに流れる電流量は、電圧平滑回路１１４に比して小さくなるため、第１ツェナーダイオードＲＺ１３及び第２ツェナーダイオードＲＺ１４の作動電圧や定格電力を低く設定することができ、第１ツェナーダイオードＲＺ１３及び第２ツェナーダイオードＲＺ１４としては、定格電流の比較的小さいものを用いることができる。従って、電圧平滑回路１１４'に係るコストの低減化（特に、第１ツェナーダイオードＲＺ１３及び第２ツェナーダイオードＲＺ１４のコスト削減）を図ることができる。
【０１２０】
また、第１補助抵抗Ｒ１３１及び第２補助抵抗Ｒ１３２は、モータ駆動装置１の電源遮断時には第１平滑コンデンサＣ１１及び第２平滑コンデンサＣ１２の放電回路として機能することもできる。従って、第１平滑コンデンサＣ１１及び第２平滑コンデンサＣ１２の放電回路を別途設ける必要がない。
【０１２１】
尚、電圧平滑回路１１４'は、第１補助抵抗Ｒ１３１及び第２補助抵抗Ｒ１３２を除き、図６〜８と同様の構成を有しているため、図９においては、第１補助抵抗Ｒ１３１及び第２補助抵抗Ｒ１３２を除いては図６〜８と同じ符号を付している。
【０１２２】
（ｂ）
本実施形態の「（２）動作」では、各内部抵抗Ｒ１１ａ，Ｒ１２ａにバラツキがあり、各両端電圧Ｖ１１，Ｖ１２に大小関係が生じたとしても、電流経路Ｉ１３，Ｉ１４双方に電流が流れる場合について説明した。しかし、図６〜８に係る電圧平滑回路１１４においては、内部抵抗Ｒ１１ａ，Ｒ１２ａのバラツキが非常に大きく、両端電圧Ｖ１１，Ｖ１２の差が大きい場合には、いずれか一方の両端電圧Ｖ１１，Ｖ１２が第１ツェナー電圧Ｖｒ１３または第２ツェナー電圧Ｖｒ１４以下となってしまうことが考えられる。この場合、先ずはツェナー電圧Ｖｒ１３，Ｖｒ１４以上の電圧が印加されているいずれか一方のツェナーダイオードＲＺ１３，ＲＺ１４のみが動作し、やがて両端電圧Ｖ１１，Ｖ１２の差が小さくなった時に、他方のツェナーダイオードにもツェナー電圧以上の電圧が印加されることとなり、動作していなかったツェナーダイオードも動作する。その後は、本実施形態の「（２）動作」と同様となる。即ち、この場合の電圧平滑回路１１４は、以下の第１状態及び第２状態のいずれかを採り得る。
第１状態：第１ツェナーダイオードＲＺ１３に第１ツェナー電圧Ｖｒ１３以上の電圧が印加された後に、第２ツェナーダイオードＲＺ１４にも第２ツェナー電圧Ｖｒ１４以上の電圧が印加される状態
第２状態：第２ツェナーダイオードＲＺ１４に第２ツェナー電圧Ｖｒ１４以上の電圧が印加された後に、第１ツェナーダイオードＲＺ１３にも第１ツェナー電圧Ｖｒ１３以上の電圧が印加される状態
【０１２３】
上記第１状態の具体例を説明するため、仮に各ツェナー電圧が"２４０Ｖ"、電源部１３の電圧Ｖｄｃが"７１８Ｖ"であって、両端電圧Ｖ１１が"５００Ｖ"、両端電圧Ｖ１２が"２１８Ｖ"であるとする。この場合、先ずは第１ツェナーダイオードＲＺ１３のみが動作し、第１実施形態に係る図３のように内部抵抗Ｒ１２ａに電流が流れ込む。すると、両端電圧Ｖ１２が徐々に大きくなるため、両端電圧Ｖ１２の電圧が２４０Ｖ以上となることで、それまで動作していなかった第２ツェナーダイオードＲＺ１４も動作をし始める。これにより、本実施形態に係る図７に示すように電流が流れるようになり、やがて両端電圧Ｖ１１，Ｖ１２のバランスは保たれた状態となる。
【０１２４】
また、第２状態の具体例を説明するため、仮に両端電圧Ｖ１１が"２１８Ｖ"、両端電圧Ｖ１２が"５００Ｖ"であるとする。この場合、先ずは第２ツェナーダイオードＲＺ１４のみが動作し、第１実施形態に係る図４のように内部抵抗Ｒ１１ａに電流が流れる。すると、両端電圧Ｖ１１が徐々に大きくなるため、両端電圧Ｖ１１の電圧が２４０Ｖ以上となることで、それまで動作していなかった第１ツェナーダイオードＲＺ１３も動作をし始める。これにより、本実施形態に係る図８に示すように電流が流れるようになり、やがて両端電圧Ｖ１１，Ｖ１２のバランスは保たれた状態となる。
【０１２５】
（ｃ）
本実施形態では、図６〜８に示すように、第１ツェナーダイオードＲＺ１３及び第２ツェナーダイオードＲＺ１４が共に１つずつ設けられており、第１ツェナー電圧Ｖｒ１３及び第２ツェナー電圧Ｖｒ１４それぞれが３６０Ｖである場合について説明した。しかし、第１ツェナーダイオードＲＺ１３及び第２ツェナーダイオードＲＺ１４は、複数個のツェナーダイオードが直列に接続されることで構成されてもよい。
【０１２６】
（ｄ）
本実施形態では、図６〜８に示すように、電流経路Ｉ１３上においては、電圧の高い側から順に第１バランス抵抗Ｒ１３及び第１ツェナーダイオードＲＺ１３の順で接続され、電流経路Ｉ１４上においては、第２バランス抵抗Ｒ１４及び第２ツェナーダイオードＲＺ１４の順で接続されている場合について説明した。しかし、各電流経路Ｉ１３，Ｉ１４上の素子の接続順は、上記順番に限定されない。
【０１２７】
（ｅ）
本実施形態では、所定電圧以上の電圧が印加された場合に、第１バランス抵抗Ｒ１３または第２バランス抵抗Ｒ１４に一方向に電流を流す第１通電規制部及び第２通電規制部が、それぞれ第１ツェナーダイオードＲＺ１３及び第２ツェナーダイオードＲＺ１４で構成されている場合について説明した。しかし、第１通電規制部及び第２通電規制部は、所定電圧以上の電圧が印加された場合に第１または第２バランス抵抗Ｒ１３，Ｒ１４に一方向に電流を流すことができるものであればどのようなものであってもよく、ツェナーダイオード以外で構成されていてもよい。
【産業上の利用可能性】
【０１２８】
本発明に係る電圧平滑回路は、簡易な構成で、各平滑コンデンサに印加される電圧のバランスを保つことができるという効果を有する。この電圧平滑回路は、モータ駆動用のモータ駆動装置において、インバータ部に供給される電源電圧の平滑用回路として利用できる。
【符号の説明】
【０１２９】
１  モータ駆動装置
１３  電源部
１４，１１４  電圧平滑回路
１５  インバータ部
Ｃ１，Ｃ１１  第１平滑コンデンサ
Ｃ１ａ，Ｃ１１ａ  容量成分
Ｒ１ａ，Ｒ１１ａ  内部抵抗（抵抗成分）
Ｃ２，Ｃ１２  第２平滑コンデンサ
Ｃ２ａ，Ｃ１２ａ  容量成分
Ｒ２ａ，Ｒ１２ａ  内部抵抗（抵抗成分）
Ｒ３，Ｒ１３  第１バランス抵抗
Ｒ４，Ｒ１４  第２バランス抵抗
ＲＺ３，ＲＺ１３  第１ツェナーダイオード
ＲＺ４，ＲＺ１４  第２ツェナーダイオード
Ｒ３１，Ｒ１３１  第１補助抵抗
Ｒ３２，Ｒ１３２  第２補助抵抗
【先行技術文献】
【特許文献】
【０１３０】
【特許文献１】特開２００３−８８１４４号公報
【特許文献２】特開平１−１６９５１６号公報